(57)【要約】【課題】演出効果が高く、かつ可動体の円滑な動きを確保する。【解決手段】裏ユニット３６の上対向面部４７ａに、斜め上下方向に移動自在な可動体５３を備える可動演出装置４９が配設される。可動体５３の前側に、複数の第１装飾可動部材７１が回動自在に配設される。第１装飾可動部材７１は、可動体５３の裏側に配設された伝達機構７２を第２駆動モータ７３により作動することで回転するよう構成される。可動体５３の裏側に、伝達機構７２の裏側を覆うカバー部材７８が配設される。可動体５３は、第１駆動モータの駆動によりカバー部材７８が上対向面部４７ａ前面と対向する姿勢で上対向面部４７ａに沿って移動する。【選択図】図１８
2010227421.tif 000002
【特許請求の範囲】
【請求項１】
設置部の前側に該設置部に沿って移動自在に配設され、駆動手段の駆動により移動される可動体を備える遊技機において、
前記可動体の前側に可動自在に配設される装飾可動部材と、
前記可動体の設置部前面と対向する裏側に配設され、作動により前記装飾可動部材を可動させる伝達機構と、
前記可動体に配設され、前記伝達機構を作動する装飾用駆動手段と、
前記可動体の裏側に配設され、前記伝達機構の裏側を覆うカバー部材とを備え、
前記駆動手段の駆動により可動体は、前記カバー部材が設置部前面と対向する姿勢で設置部に沿って移動するよう構成される
ことを特徴とする遊技機。
【請求項２】
前記カバー部材の前面における前記伝達機構に近接する位置に、該カバー部材の前面と前記可動体の裏面との間に伝達機構を収容する隙間を確保する複数の突起が突設される請求項１記載の遊技機。
【請求項３】
前記カバー部材の裏面には、前記可動体の移動方向に沿って延在するリブが設けられる請求項１または２記載の遊技機。
【請求項４】
前記リブにおける延在方向の端部は、前記可動体の裏面に向けて傾斜している請求項３記載の遊技機。
【発明の詳細な説明】
【技術分野】
【０００１】
この発明は、駆動手段の駆動により移動される可動体を備える遊技機に関するものである。
【背景技術】
【０００２】
代表的な遊技機であるパチンコ機は、機内にセットされる遊技盤の盤面に画成した遊技領域の略中央位置に枠状の装飾部材が配設されて、該装飾部材の窓口から液晶式やドラム式等の図柄表示装置を臨ませ、この図柄表示装置で図柄組み合わせゲームやリーチ演出等の遊技演出を行なうよう構成されている。また前記装飾部材に、所要の動作を行なう可動体を備えた可動演出装置を配設し、該可動体を前記図柄表示装置で行なわれる遊技演出に合わせて動作させることにより、視覚的な演出効果を向上させ、遊技の興趣を高めるようにしたパチンコ機も知られている。
【０００３】
また近年では、単体の可動体を単に移動させるだけでなく、更に演出効果を高めるために、可動体を複数用いてより斬新な演出を行なうことが望まれている。例えば、特許文献１に開示のパチンコ機では、駆動手段により移動される台座部材に、弾性を有する支持部材を介してキャラクタ部材を配設し、台座部材を移動したときに、支持部材の弾性によりキャラクタ部材が台座部材の動きとは異なるように動くことで、演出効果が高められている。
【先行技術文献】
【特許文献】
【０００４】
【特許文献１】特開２００３−１４４６７８号公報
【発明の概要】
【発明が解決しようとする課題】
【０００５】
前記特許文献１のパチンコ機では、キャラクタ部材は支持部材の弾性によって不規則に動くものであって、台座部材の動きと関連付けて制御された動作をさせることができないために遊技者に飽きられ易く、演出効果の大きな向上には寄与し得なかった。なお、台座部材に対して可動可能に配設したキャラクタ部材と別の駆動手段とを連繋機構を介して連繋することで、台座部材の動きに関連付けてキャラクタ部材の動きを制御することは可能である。しかるに、台座部材の動きを許容する連繋機構の構成が複雑になると共に、該連繋機構によって台座部材の動きが規制されたり円滑な動きが阻害されるおそれもある。
【０００６】
すなわち本発明は、従来の技術に係る遊技機に内在する前記課題に鑑み、これを好適に解決するべく提案されたものであって、演出効果が高く、かつ可動体の円滑な動きを確保し得る遊技機を提供することを目的とする。
【課題を解決するための手段】
【０００７】
前記課題を克服し、所期の目的を達成するため、本願の請求項１に係る発明は、
設置部(47a)の前側に該設置部(47a)に沿って移動自在に配設され、駆動手段(67)の駆動により移動される可動体(53)を備える遊技機において、
前記可動体(53)の前側に可動自在に配設される装飾可動部材(71)と、
前記可動体(53)の設置部(47a)前面と対向する裏側に配設され、作動により前記装飾可動部材(71)を可動させる伝達機構(72)と、
前記可動体(53)に配設され、前記伝達機構(72)を作動する装飾用駆動手段(73)と、
前記可動体(53)の裏側に配設され、前記伝達機構(72)の裏側を覆うカバー部材(78)とを備え、
前記駆動手段(67)の駆動により可動体(53)は、前記カバー部材(78)が設置部(47a)前面と対向する姿勢で設置部(47a)に沿って移動するよう構成されることを特徴とする。
請求項１の発明によれば、可動体に、装飾用可動部材および該可動部材を作動する演出用駆動手段を配設することで、可動体の動きに関連付けて装飾用可動部材を可動することができ、簡単な構成で演出効果を高めることができる。また、装飾用可動部材と装飾用駆動手段とを連繋する伝達機構をカバー部材で覆う構成により、該伝達機構が可動体の移動を阻害するのを防止し得ると共に、伝達機構の保護も図り得る。
【０００８】
請求項２に係る発明では、前記カバー部材(78)の前面における前記伝達機構(72)に近接する位置に、該カバー部材(78)の前面と前記可動体(53)の裏面との間に伝達機構(72)を収容する隙間を確保する複数の突起(78a)が突設されることを要旨とする。
請求項２の発明によれば、カバー部材の前面に突設した突起により、カバー部材が橈んで伝達機構と接触するのを確実に防ぐことができる。
【０００９】
請求項３に係る発明では、前記カバー部材(78)の裏面には、前記可動体(53)の移動方向に沿って延在するリブ(78b)が設けられることを要旨とする。
請求項３の発明によれば、カバー部材の裏面に配設したリブにより、該カバー部材と設置部とが接触する際の接触面積を小さくして、可動体のより円滑な移動を図り得る。
【００１０】
請求項４に係る発明では、前記リブ(78b)における延在方向の端部は、前記可動体(53)の裏面に向けて傾斜していることを要旨とする。
請求項４の発明によれば、リブにおける延在方向の端部を傾斜させたことにより、該リブの端部が設置部に引っ掛かるのを防止して可動体のより円滑な移動を図り得る。
【発明の効果】
【００１１】
本発明に係る遊技機によれば、簡単な構成で演出効果を向上し得ると共に、可動体の円滑な動作を達成することができる。
【図面の簡単な説明】
【００１２】
【図１】実施例に係るパチンコ機を示す正面図である。
【図２】実施例に係るパチンコ機を示す背面図である。
【図３】実施例に係るパチンコ機から前枠および遊技盤を取外した状態で示す正面図である。
【図４】実施例に係る遊技盤の正面図である。
【図５】実施例に係る遊技盤の背面図である。
【図６】実施例に係る遊技盤を、透明板と裏ユニットとを分離した状態で示す概略側面図である。
【図７】実施例に係る裏ユニットを、各種装置を配設した状態で前側から見た斜視図である。
【図８】実施例に係る裏ユニットを、図柄表示装置を取外した状態で示す背面図である。
【図９】実施例に係る裏ユニットを前側から見た斜視図である。
【図１０】実施例に係る裏ユニットの正面図である。
【図１１】実施例に係る可動演出装置を示す正面図である。
【図１２】実施例に係る可動演出装置を、ガイド部材と支持部との関係が分かる状態で示す正面図である。
【図１３】実施例に係るガイド部材を裏ユニットから分離した状態で示す概略斜視図である。
【図１４】実施例に係る左ガイド部材と取付盤とを示す分解斜視図である。
【図１５】実施例に係る右ガイド部材を示す分解斜視図である。
【図１６】実施例に係る可動演出装置を示す分解斜視図である。
【図１７】実施例に係る可動演出装置の可動体、第１発光装置およびカバー部材を示す分解斜視図である。
【図１８】図１１のＡ−Ａ線断面図である。
【図１９】図１１のＢ−Ｂ線断面図である。
【図２０】実施例に係る第１装飾可動装置を可動体を省略した状態で示す背面図である。
【図２１】実施例に係る第１装飾可動装置を可動体を省略した状態で示す概略斜視面図である。
【図２２】図１１のＣ−Ｃ線断面図である。
【図２３】実施例に係る可動演出装置を、裏ユニットを一部破断して後側から見た斜視図である。
【図２４】実施例に係る可動演出装置を示す要部概略斜視図である。
【図２５】実施例に係る可動演出装置を、可動体が待機位置に臨む状態で示す正面図である。
【図２６】実施例に係る可動演出装置を、可動体が作動位置に臨む状態で示す正面図である。
【図２７】実施例に係る可動演出装置を、可動体が待機位置に臨む状態で示す背面図である。
【図２８】実施例に係る可動演出装置を、可動体が作動位置に臨む状態で示す背面図である。
【図２９】実施例に係る図柄表示装置の背面図である。
【図３０】実施例に係る裏ユニットの要部を示す概略斜視図である。
【図３１】実施例に係る裏ユニットにおけるロック部材の配設部位を示す要部概略斜視図である。
【図３２】実施例に係る裏ユニットにおけるロック部材の配設部位を示す要部背面図である。
【図３３】実施例に係るロック部材を前側から見た概略斜視図である。
【図３４】実施例に係るロック部材を後側から見た概略斜視図である。
【図３５】実施例に係る裏ユニットにおける長孔の形成箇所を示す要部正面図である。
【図３６】実施例に係る裏ユニットにおける長孔の形成箇所を示す要部背面図である。
【図３７】図３５のＤ−Ｄ線断面図である。
【図３８】図３６のＥ−Ｅ線断面図である。
【図３９】実施例に係る第２装飾可動装置の分解斜視図である。
【図４０】実施例に係る裏ユニットにおける長孔の形成箇所を、収容部材を外した状態で示す要部背面図である。
【図４１】実施例に係る収容部材と蓋部材を後側から見た概略斜視図である。
【発明を実施するための形態】
【００１３】
次に、本発明に係る遊技機につき、好適な実施例を挙げて、添付図面を参照して以下に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１４】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤３３(図４参照)を着脱可能に保持された本体枠としての中枠１２が開閉および着脱可能に組付けられて、該遊技盤３３の裏側に対して、各種図柄を変動表示可能な図柄表示装置１３が着脱し得るよう配設されている。また、前記中枠１２の前面側には、前記遊技盤３３を透視保護するガラス板を備えた装飾枠としての前枠１４が開閉可能に組付けられると共に、該前枠１４の下方にパチンコ球を貯留する下球受け皿１５が開閉可能に組付けられる。なお、実施例では、前記前枠１４の下部位置に、パチンコ球を貯留する上球受け皿１６が一体的に組付けられており、前枠１４の開閉に合わせて上球受け皿１６も一体的に開閉するよう構成される。
【００１５】
(中枠について)
図３に示すように、前記中枠１２は、上縁をなす上枠部材１７と、下縁をなし、スピーカや打球発射装置、操作ハンドル２１等が設置された下枠部材１８と、左側縁をなす左枠部材１９と、右側縁をなす右枠部材２０とから構成されて、これら上下左右の枠部材１７,１８,１９,２０を組付けた際に、全体が前記外枠１１の開口に整合する矩形枠状に形成される。そして、前記上下左右の枠部材を組付けた際に前後に開口する開口部分が、前記遊技盤３３を設置する遊技盤保持部２２として機能する。ここで、前記中枠１２は、前記外枠１１の左上端部および左下端部に設けられた支軸(図示せず)を介して枢支され、左側端部を中心として中枠１２を回転させることで、該外枠１１に対して中枠１２を開閉し得るようになっている。
【００１６】
また、図３に示すように、前記左枠部材１９の開口内側(遊技盤保持部２２側)には、上下に離間する位置に、前記遊技盤３３の左側端部を回転および着脱可能に保持する回転保持具２３,２３が複数設けられると共に、上下の枠部材における右端部(右枠部材２０側)に、固定位置および固定解除位置に回転可能な固定具２４,２４が夫々設けられており、該固定具２４,２４により遊技盤３３の右側上下端部を中枠１２に固定し得るようになっている。すなわち、前記遊技盤３３を中枠１２に配設するには、該遊技盤３３の左側端部を前記回転保持具２３,２３で保持した状態で、遊技盤３３の右側端部を押し込んで遊技盤３３の左側端部(回転保持具２３,２３)を中心に回動させて遊技盤３３の全体を遊技盤保持部２２に臨ませて、前記固定具２４,２４を固定位置に回転変位させて遊技盤３３の右側上下端部を支持固定する。このように、実施例に係る遊技盤３３は、前記中枠１２と同様に、左側端部が回転中心となるよう支持される。
【００１７】
図２または図３に示すように、前記上枠部材１７の裏側には、設置枠台等に設けられた外部球供給設備から供給されるパチンコ球を貯留する球タンク２５が、該上枠部材１７の左右幅の略全幅に亘って設けられている。この球タンク２５は、前記遊技盤保持部２２に配設された遊技盤３３の裏側上部に重なるよう形成されており、遊技盤３３の上下寸法を最大限大きくし得るようになっている(図６参照)。また、前記下枠部材１８の裏側には、前記上下の球受け皿１５,１６に連通する球供給路および設置枠台に設けた球回収樋に連通する球排出路(何れも図示せず)が夫々形成されたセット部材２６が配設されている。なお、前記球タンク２５とセット部材２６とは、両部材間に架設された球通路ユニット２７(図３参照)を介して連通接続されており、該球通路ユニット２７に配設された球払出し装置２７ａの駆動により球タンク２５に供給されたパチンコ球を前記上下の球受け皿１５,１６へ給出するよう構成されている。
【００１８】
前記セット部材２６には、図２に示すように、パチンコ機１０の電源制御を行なう電源装置(アース部)２８、前記球通路ユニット２７に配設した球払出し装置２７ａを駆動制御する払出し制御装置２９、前記打球発射装置を駆動制御する発射制御装置３０、外部端末に接続されるインターフェース基板３１等が配設されている。なお、これらの各装置２８,２９,３０,３１は、前記遊技盤３３の裏側に配設される主制御装置３２に配線接続され、該主制御装置３２からの制御信号に基づいて所定の制御を実行するようになっている。
【００１９】
(遊技盤について)
前記中枠１２の遊技盤保持部２２に配設される前記遊技盤３３は、図４〜図６に示すように、前面(盤面)にパチンコ球が流下可能な遊技領域３４が画成され、アクリルやポリカーボネート等の光透過性の合成樹脂材からなる平板状の透明板(板部材)３５と、該透明板３５の裏面に組付けられて前記図柄表示装置１３が着脱可能に配設されると共に、何れも後述する可動演出装置４９、第１装飾可動装置５０、第２装飾可動装置５１や各種発光装飾装置５２が配設される不透明な合成樹脂材で形成された裏ユニット３６とから構成され(図７参照)、該裏ユニット３６に形成された前後に開口する開口部３６ａを介して図柄表示装置１３の表示面を前面側から視認し得るよう構成されている。裏ユニット３６に形成される開口部３６ａは、図７〜図９に示す如く、該裏ユニット３６の上下および左右幅の大部分が開口する大型の開口部であって、実施例では、パチンコ機１０のモチーフとなるキャラクター等に合わせて配置される前記可動演出装置４９、第１装飾可動装置５０、第２装飾可動装置５１や各種発光装飾装置５２の配置パターンに合わせて複雑な形状に形成されている。なお、実施例の透明板３５は、アクリル樹脂により一定の厚み寸法(１０ｍｍ)の平板状に形成されている。ここで、前記透明板３５および裏ユニット３６は、外郭形状が略整合する大きさおよび形状に形成されて、該透明板３５と裏ユニット３６とを組付けた状態で透明板３５の裏面を裏ユニット３６で全面的に覆うよう構成され、前側から遊技盤３３(裏ユニット３６)の裏側を視認し得ないようになっている。
【００２０】
(透明板について)
図１または図４に示すように、前記透明板３５の前面には、円弧状に形成した案内レール３７が配設されると共に、該案内レール３７の右方位置に、左端縁が右方に凹む円弧状に形成した第１盤面飾り部材３８ａが配設されている。そして、前記案内レール３７および第１盤面飾り部材３８ａにより前記遊技領域３４が略円形状に画成される。また、前記透明板３５の盤面には、前記案内レール３７の左方(遊技領域３４の外側)の上下位置に第２盤面飾り部材３８ｂが夫々が配設されている。前記第１および第２盤面飾り部材３８ａ,３８ｂ,３８ｂの夫々は、不透明な合成樹脂材から形成されており、透明板３５において該第１および第２盤面飾り部材３８ａ,３８ｂ,３８ｂが配設された部分を除いた領域(すなわち遊技領域３４)で裏側(裏ユニット３６)を視認し得るよう構成されている。すなわち、前記裏ユニット３６に配設される可動演出装置４９、第１装飾可動装置５０、第２装飾可動装置５１や各種発光装飾装置５２等は、透明板３５を介して前側から視認し得るようになっている。なお、前記透明板３５の遊技領域３４内には、多数の遊技釘(図示せず)が植設されており、該遊技領域３４を流下するパチンコ球の接触により流下方向を不規則に変更させ得るよう構成してある。
【００２１】
前記透明板３５の下方位置には、前記遊技領域３４を流下するパチンコ球が入賞可能な始動入賞装置３９や特別入賞装置４０が配設されており、始動入賞装置３９の始動入賞口へのパチンコ球の入賞を契機として、所定数のパチンコ球が賞球として前記上下の球受け皿１５,１６に払い出されると共に前記図柄表示装置１３の表示面において図柄変動演出が開始され、該図柄変動演出の結果、図柄表示装置１３の表示面に所定の図柄組み合わせ(例えば同一図柄の三つ揃い等)で図柄が停止表示されることで所謂「大当り」が発生し、これにより特別入賞装置４０へのパチンコ球の入賞が許容されて多数の賞球を獲得し得るようになっている。なお、透明板３５には、特別入賞装置４０の左右両側には普通入賞装置１４１が夫々が配設されている。
【００２２】
(枠状装飾体について)
前記透明板３５には、前記裏ユニット３６に形成された開口部３６ａの前側に前後に貫通する貫通口(可視表示部)３５ａ(図４参照)が形成されており、該貫通口３５ａに対して前後に開口する枠状の枠状装飾体４１が配設されている。すなわち、前記裏ユニット３６の開口部３６ａから臨む前記図柄表示装置１３の表示面は、前記枠状装飾体４１における前後に開口する窓口４１ａを介して透明板３５の前側に露出して、該図柄表示装置１３の表示面で展開される図柄変動演出を前側から視認し得るようになっている。また、枠状装飾体４１には、上縁部から左右両縁部に亘り、透明板３５より前面に突出する円弧状の庇状部４１ｂが設けられており、前記遊技領域３４に打ち出されたパチンコ球が枠状装飾体４１の窓口４１ａを横切って流下するのを庇状部４１ｂで規制している。
【００２３】
前記枠状装飾体４１には、図４に示す如く、窓口４１ａの上側に、遊技状態に合わせて発光演出を行なう前側発光演出装置４２が取付けられている。また枠状装飾体４１には、窓口４１ａの下側に、ステージ４３が配設されると共に、窓口４１ａの左側に、遊技領域３４を流下するパチンコ球をステージ４３に案内する球通路部４４が設けてある。枠状装飾体４１、ステージ４３および球通路部４４は、無色あるいは有色で裏側を透視可能な透明あるいは半透明な樹脂材料で形成されて、前記裏ユニット３６に配設される前記可動演出装置４９、第１装飾可動装置５０、第２装飾可動装置５１や各種発光装飾装置５２等を透視可能に構成される。
【００２４】
(裏ユニットの全体および前側の構成について)
前記裏ユニット３６は、図８〜図１０に示すように、前方に開口する矩形箱状に形成された箱状本体４５と、該箱状本体４５の開口前端部に形成されて当該箱状本体４５の開口外側へ延出し、前記透明板３５の裏面に当接する固定部４６とから構成されており、該固定部４６の外郭形状が前記透明板３５の外郭形状に略整合する大きさおよび形状に形成されている。具体的には、前記箱状本体４５は、前記透明板３５に対向する矩形板状に形成された対向面部４７と、該対向面部４７における上下左右の各縁部から前方に延出する画壁部４８ａ,４８ｂ,４８ｃ,４８ｄとから前方に開口するよう形成されて、各画壁部４８ａ,４８ｂ,４８ｃ,４８ｄの前端部から箱状本体４５の開口外側へ向けて延出するよう前記固定部４６が形成されている。そして、前記固定部４６の前面を透明板３５の裏面に当接した状態で、図示しないネジを介して透明板３５に裏ユニット３６を固定することで遊技盤３３が構成される。なお、実施例では、前記裏ユニット３６は、黒色の合成樹脂材により形成されて、該裏ユニット３６の内部から光が外部に漏れ出るのを防止すると共に、該裏ユニット３６の裏側を視認し得ないよう構成されている。
【００２５】
前記対向面部４７に前記開口部３６ａが形成されており、以下の説明において、対向面部４７における開口部３６ａに対する上下左右に位置する部分について、上対向面部(設置部)４７ａ、下対向面部４７ｂ、左対向面部４７ｃ、右対向面部４７ｄと夫々指称し、該上下左右の対向面部４７ａ,４７ｂ,４７ｃ,４７ｄに対応する画壁部を、上画壁部４８ａ、下画壁部４８ｂ、左画壁部４８ｃ、右画壁部４８ｄと夫々指称するものとする。ここで、前記遊技盤３３を遊技盤保持部２２に設置した状態で、前記中枠１２に設けられた前記球タンク２５の下方に前記箱状本体４５が位置すると共に、該球タンク２５の前側に前記上側の固定部４６が位置するよう構成されて(図６参照)、遊技盤３３の上下の高さ寸法を大きくしている。
【００２６】
前記透明板３５の裏側に裏ユニット３６を取付けた遊技盤３３では、該裏ユニット３６の対向面部４７と透明板３５との間に所要の空間が画成され、前記対向面部４７に設けられる前記可動演出装置４９、第２装飾可動装置５１および各発光装飾装置５２等が該空間に臨むよう構成される。実施例では、図７に示す如く、上対向面部４７ａの右側に可動演出装置４９が配設されると共に左側に第２装飾可動装置５１が配設されて、左右の対向面部４７ｃ,４７ｄに複数の発光装飾装置５２が配設されている。すなわち、裏ユニット３６の開口部３６ａおよび透明板３５の貫通口３５ａを囲繞するように、前記可動演出装置４９、第２装飾可動装置５１および複数の発光装飾装置５２が配設してある。
【００２７】
(可動演出装置について)
前記裏ユニット３６における上対向面部(設置部)４７ａには、右側に偏った位置に、図１１に示す如く、斜め上下方向に移動自在な可動体５３を備える前記可動演出装置４９が配設されている。可動体５３は、図１２に示す如く、上対向面部４７ａに配設されて左右方向に離間する一対のガイド部材５４,５５に案内されて、上方の待機位置と下方の作動位置との間を往復移動可能に構成される(図２５,図２６参照)。なお、可動演出装置４９の可動体５３は、上方の待機位置においては下端部側が前記枠状装飾体４１の窓口４１ａ側に僅かに露出しており、この状態から作動位置に移動することで窓口４１ａ側に大きく延出して、前記図柄表示装置１３の表示面の前側に重なるように臨むよう構成されている。
【００２８】
(左ガイド部材について)
前記上対向面部４７ａの左側に配設される左ガイド部材５４は、図１３または図１４に示す如く、上対向面部４７ａにネジ止め固定される第１左ガイド５４ａと、前記第２装飾可動装置５１の後述する取付盤１２１にネジ止め固定されて該第１左ガイド５４ａの前側に臨む第２左ガイド５４ｂとから構成され、両左ガイド５４ａ,５４ｂの間に、右側に開放する左ガイド溝５６が上下方向に所定長さで形成される。そして、両左ガイド５４ａ,５４ｂは、右側端縁が上側から下側に向かうにつれて左方に傾斜するよう構成される。また、両左ガイド５４ａ,５４ｂの対向面における右端縁側には、該右端縁に沿って平行に延在する左案内リブ５７,５７が突設され、前記可動体５３に設けられた後述する左支持部６５を前後の左案内リブ５７,５７で挟持した状態で移動可能に支持するよう構成される。なお、第１左ガイド５４ａの右端縁には、該右端縁に沿って歯部が形成された左ラック５８が一体に形成されている。
【００２９】
(右ガイド部材について)
前記上対向面部４７ａの右側に配設される右ガイド部材５５は、図１３または図１５に示す如く、上対向面部４７ａにネジ止め固定される第１右ガイド５５ａと、該第１右ガイド５５ａの前側にネジ止め固定される第２右ガイド５５ｂとを備え、両右ガイド５５ａ,５５ｂの間に、左側に開放する右ガイド溝５９が上下方向に所定長さで形成される。そして、両右ガイド５５ａ,５５ｂは、左側端縁が上側から下側に向かうにつれて左方に傾斜するよう構成される。すなわち、前記左ガイド部材５４の右端縁と、右ガイド部材５５の左端縁とは平行な関係で対向するよう構成される。また、両右ガイド５５ａ,５５ｂの対向面における左端縁側には、該左端縁に沿って平行に延在する右案内リブ６０,６０が突設され、前記可動体５３に設けられた後述する右支持部６６を前後の右案内リブ６０,６０で挟持した状態で移動可能に支持するよう構成される。また、第１右ガイド５５ａにおける第２右ガイド５５ｂとの対向面には、前記右案内リブ６０より右側に、該右案内リブ６０に沿って延在する凹溝６１が形成されている。
【００３０】
前記右ガイド部材５５は、図１３または図１５に示す如く、第２右ガイド５５ｂの前側に配設される第３右ガイド５５ｃを備え、第２右ガイド５５ｂと第３右ガイド５５ｃとの間には、左右方向に開放する案内路６２が画成されている(図１９,図２４参照)。そして、案内路６２には、前記可動体５３に配設された後述する第１発光装置(電気部品)７９および上部中継基板８３に接続される可動体用配線６３が挿通されて、第２右ガイド５５ｂおよび第３右ガイド５５ｃにより可動体用配線６３を案内するよう構成されている。すなわち、右ガイド部材５５が、配線の案内部材を兼用するようになっている。なお、案内路６２の前後間隔は、挿通される可動体用配線６３の前後方向への移動は規制する寸法に設定される。
【００３１】
前記上対向面部４７ａには、左右のガイド部材５４,５５の間に、右ラック６４が、左端縁に沿って形成した歯部を前記左ラック５８(第１左ガイド５４ａ)の歯部と対向する姿勢で配設されている。この右ラック６４の歯部についても、左ラック５８の歯部と同様に、上側から下側に向かうにつれて左方に変位するよう傾斜する線に沿って延在している。
【００３２】
(可動体について)
前記可動体５３は、図１６または図１７に示す如く、合成樹脂を材料として所要形状に形成された前板５３ａの外縁に沿って後方に延出する壁板５３ｂを形成した後方に開放する略箱状に形成され、壁板５３ｂの左右両側には、後端縁(上対向面部４７ａと対向する端縁)から左右側外方に延出する支持部６５,６６が設けられる。そして、左側に位置する左支持部６５を前記左ガイド部材５４の左ガイド溝５６に臨ませると共に、右側に位置する右支持部６６を前記右ガイド部材５５の右ガイド溝５９に臨ませた状態で、可動体５３は、両ガイド部材５４,５５に沿って平行移動し得るように支持される。また右支持部６６の外端縁には、後方に向けて突出する突片６６ａが外端縁に沿って所定長さで設けられ(図２３参照)、該突片６６ａが右ガイド部材５５における第１右ガイド５５ａに形成した前記凹溝６１内に臨んで、該突片６６ａが凹溝６１に沿って移動するようになっている。なお、可動体５３は、左右のガイド部材５４,５５(案内リブ５７,５７,６０,６０)に接触する左右の支持部６５,６６を除く全体にメッキが施されて、当該可動体５３に配設されて接触している各種部品と電気的に導通可能に構成されている。
【００３３】
前記可動体５３における前記前板５３ａの前面には、図１１，図１２に示す如く、左右方向の略中央上部に、駆動手段としての第１駆動モータ６７が、出力軸を後側に突出する後向きの姿勢で配設されている。第１駆動モータ６７の前板後方に延出する出力軸に、図２７に示す如く、右作動歯車６８が配設してある。また前板５３ａの裏側には、右作動歯車６８の左方に離間して左作動歯車６９が回転自在に配設されており、左右の作動歯車６８,６９は、前板５３ａ裏側に回転自在に配設された大小２つの従動歯車７０,７０を介して噛合し、右作動歯車６８を正逆回転した際には左作動歯車６９が逆方向に回転するよう構成される。そして、可動体５３が、前記左右の支持部６５,６６が対応する左右のガイド部材５４,５５で支持された状態で、左作動歯車６９が前記左ラック５８に右側から噛合すると共に、右作動歯車６８が前記右ラック６４に左側から噛合するようになっている。これにより、第１駆動モータ６７を駆動すると、左作動歯車６９と右作動歯車６８とが逆方向に回転し、該左右の作動歯車６８,６９と左右のラック５８,６４との噛合作用下に、可動体５３が斜め上下方向に往復移動するよう構成される(図２５,図２６,図２７,図２８参照)。すなわち、可動体５３は、自身に搭載されている第１駆動モータ６７の駆動によって、該第１駆動モータ６７と一体に移動するよう構成されている。
【００３４】
(第１装飾可動装置について)
前記可動体５３には、前記第１装飾可動装置５０が配設されて、可動体５３と一体に移動するよう構成される。第１装飾可動装置５０は、前記可動体５３における前板５３ａの前面に配設される複数の第１装飾可動部材(装飾可動部材)７１と、前板５３ａの裏側に配設されて第１装飾可動部材７１に動力を伝達する伝達機構７２と、前板５３ａの前面に配設されて伝達機構７２を作動する第２駆動モータ(装飾用駆動手段)７３とを備える。
【００３５】
前記複数の第１装飾可動部材７１の夫々は、基本構成は同じで大きさのみが異なっている。すなわち、第１装飾可動部材７１は、図１６,図２０または図２１に示す如く、歯車を模した形状に形成され、中央に透明なレンズ部７１ａが形成されると共に、該レンズ部７１ａの外側には、前後に貫通する通孔７１ｂが周方向に離間して複数形成されている。なお、第１装飾可動部材７１のレンズ部７１ａを除く部分にはメッキが施してある。またレンズ部７１ａの裏面には、所要の図柄が施された光透過性を有するシール７４が貼着されると共に、第１装飾可動部材７１の中央には後方に延出する支持軸７１ｃが突設される。
【００３６】
前記可動体５３の前板５３ａには、図１６に示す如く、前記第１駆動モータ６７の配設位置より下側に、前方へ突出する軸受ボス７５が、前記第１装飾可動部材７１の数と同数だけ設けられており、各軸受ボス７５に形成した通孔に第１装飾可動部材７１の支持軸７１ｃを前側から挿通することで、第１装飾可動部材７１は回動自在に支持される。なお、複数の軸受ボス７５の内の一部は前方への突出寸法が異なっており、複数の軸受ボス７５に回動自在に支持される複数の第１装飾可動部材７１が前後方向に離間して位置し、立体感が得られるようになっている。また前板５３ａの前側には、第１装飾可動部材７１と同様に歯車を模した形状に形成された可動しない第１固定装飾体７６が複数配設されている。なお、第１固定装飾体７６にも前後に貫通する複数の通孔７６ａが形成される。
【００３７】
前記可動体５３の前板５３ａの裏側に配設される伝達機構７２は、図２０または図２１に示す如く、各第１装飾可動部材７１の支持軸７１ｃにおける前板後方に延出する端部に配設される伝達歯車７２ａと、これら複数の伝達歯車７２ａに相互に噛合するよう前板５３ａ裏側に回動自在に配設した複数の従動歯車７２ｂと、前記第２駆動モータ７３の出力軸に配設される駆動歯車７２ｃとから構成される。これら複数の歯車７２ａ,７２ｂ,７２ｃは、前板５３ａにおける下端縁に略沿って配置されている。
【００３８】
前記可動体５３の前板５３ａの前面には、前記第２駆動モータ７３が、出力軸を前板後方に延出する後向き姿勢で配設され、該出力軸に前記駆動歯車７２ｃが配設されている。すなわち、第２駆動モータ７３を駆動することで、複数の歯車７２ａ,７２ｂ,７２ｃが回転し、これに伴って前記複数の第１装飾可動部材７１が回転するよう構成される。
【００３９】
(カバー部材について)
前記可動体５３の前板５３ａの裏面には、前記伝達機構７２と干渉しない位置に複数の固定用ボス７７が突設され(図１７参照)、これら複数の固定用ボス７７を介して伝達機構７２の後方にカバー部材７８が取付けられている。このカバー部材７８は、図１７,図２７または図２８に示す如く、伝達機構７２の裏側を略覆う形状に形成されると共に、該カバー部材７８の前面には、伝達機構７２と干渉しない位置において前方に突出する複数の突起７８ａが設けられている(図１６参照)。これら突起７８ａは、後述する第１ＬＥＤ基板８０の裏面に当接して、該基板８０の裏面とカバー部材７８の前面との間に伝達機構７２を収容する隙間を確保すると共に、カバー部材７８が橈むのを規制するべく機能する。前記突起７８ａは、伝達機構７２を構成する各歯車７２ａ,７２ｂ,７２ｃに近接するように位置している。また、突起７８ａは、前記前板５３ａの各固定用ボス７７とカバー部材７８との各固定部の間において、該カバー部材７８の略周縁位置で各歯車７２ａ,７２ｂ,７２ｃを囲むように配置されている。なお、突起７８ａに関しては、各歯車７２ａ,７２ｂ,７２ｃの噛合位置を挟む両側に配置することで、少ない本数でカバー部材７８の橈みによる歯車７２ａ,７２ｂ,７２ｃとの干渉を防止することができる。
【００４０】
前記カバー部材７８の裏面には、図１７,図２７または図２８に示す如く、前記可動体５３の移動方向に沿って延在する複数のリブ７８ｂが、左右方向(移動方向と交差する方向)に離間して平行に設けられている。これらリブ７８ｂは、可動体５３の移動に際して、カバー部材７８の裏面全体が前記上対向面部４７ａに接触するのを規制し、可動体５３の円滑な移動を行なわせるべく機能する。
【００４１】
ここで、前記可動体５３が下方の作動位置まで移動した状態で、前記カバー部材７８の略全体が裏ユニット３６の上対向面部４７ａの裏側から離間して開口部３６ａに臨むよう構成されている。そして、可動体５３の作動位置において、上対向面部４７ａの下端縁(開口部３６ａの上端縁を形成する縁)から下方に臨むカバー部材７８に配設されている前記リブ７８ｂにおける延在方向の上端部は、カバー部材７８の裏面(可動体５３の裏面)に向けて傾斜している(図１８参照)。すなわち、可動体５３が作動位置から待機位置に向けて上方に移動する際に、リブ７８ｂの上端部が上対向面部４７ａの下端縁に引掛かって移動を妨げるのを防止するようになっている。なお、可動体５３の作動位置において上対向面部４７ａの裏側に上端部が臨むリブ７８ｂの上端部には傾斜は形成されていないが、全てのリブ７８ｂの延出端部に傾斜を形成してもよい。
【００４２】
(第１発光装置について)
前記可動体５３における前板５３ａの裏側には、該前板５３ａの裏面と可動体５３の移動させる各歯車６８,６９,７０および第１装飾可動装置５０の伝達機構７２との間に電気部品としての第１発光装置７９が配設されている。この第１発光装置７９は、図１６または図１８に示す如く、前板５３ａの裏面を略覆い得る形状に形成された第１ＬＥＤ基板８０の前面に、複数のＬＥＤ(発光体)８０ａを適宜のパターンで配設して構成される。また前記前板５３ａには、各ＬＥＤ８０ａと対応する位置に貫通孔５３ｃが形成されており、ＬＥＤ８０ａからの光は、貫通孔５３ｃを介して前方に照射されるよう構成してある。なお、一部の貫通孔５３ｃおよびＬＥＤ８０ａは、前板５３ａの前側に配設される前記第１装飾可動部材７１のレンズ部７１ａや通孔７１ｂおよび第１固定装飾体７６の通孔７６ａに対応する位置に設けられている。また、第１装飾可動部材７１の通孔７１ｂに対応する貫通孔５３ｃは、該第１装飾可動部材７１が回転する際の通孔７１ｂが移動する軌跡上に位置して、第１装飾可動部材７１の回転によって、光が遮ぎられたり遮られない状態に変化するようになっている。
【００４３】
前記前板５３ａの前面には、前記第１および第２駆動モータ６７,７３に接続する配線８１および後述する第１検出手段９３および第２検出手段９５に接続する配線８１を結束するための複数の係止フック８２が設けられており、該係止フック８２に近接して前記ＬＥＤ８０ａに対応する貫通孔５３ｃが形成されている(図１８参照)。また、係止フック８２には可動体５３と同様にメッキが施されており、ＬＥＤ８０ａから貫通孔５３ｃを介して前方に照射される光が係止フック８２で反射することで、該係止フック８２に結束されている配線８１が目立つのを抑制し得るようにしてある。
【００４４】
(配線保持体について)
前記第１ＬＥＤ基板８０における右上端部にソケット８０ｂが設けられており、該ソケット８０ｂに前記可動体用配線６３の一端に設けたプラグ６３ａが差込み接続されている(図２５,図２６参照)。この可動体用配線６３は、前記右ガイド部材５５に形成された案内路６２に左側から右側へ挿通された後に、その他端に設けたプラグ６３ｂが、前記上対向面部４７ａにおける右隅部前面に配設された上部中継基板８３に設けられたソケット８３ａに差込み接続されている。上対向面部４７ａの前面には、図１３または図２４に示す如く、右ガイド部材５５と上部中継基板８３との間に取付ボス８４が突設され、該取付ボス８４に配線保持体８５が、上対向面部４７ａに沿って自由回動自在に配設されている。配線保持体８５には取付孔８５ａが穿設されており、該取付孔８５ａを介して前記可動体用配線６３が結束具８６(図２５参照)を介して結束されている。この配線保持体８５は、前記可動体５３の移動に伴い第１ＬＥＤ基板８０に接続されている可動板用配線６３を介して作用する負荷によって該可動体用配線６３と共に回動し、該配線保持体８５と第１ＬＥＤ基板８０との間の可動体用配線６３が大きく弛むことなく、ある程度定められた位置を移動するよう構成される。
【００４５】
また、前記可動体用配線６３における前記配線保持体８５と上部中継基板８３との間に臨む部位(配線保持体８５を挟んで可動体５３の配設側とは反対側の部位)は所要長さで屈曲され、該屈曲部(付勢手段)６３ｃの弾力によって配線保持体８５を上部中継基板８３側に引張るように作用するようにしてある。すなわち、屈曲部６３ｃの弾力によって、可動体用配線６３における配線保持体８５と第１ＬＥＤ基板８０との間に臨む部位には、第１ＬＥＤ基板８０から離間する方向に引張られる力が作用し、常に弛むことなく張った状態を維持し得るよう構成される。具体的には、図２５に示す如く、前記可動体５３が待機位置に臨む状態で、前記配線保持体８５は、屈曲部６３ｃの弾力によって可動体用配線６３との結束部が上部中継基板側に回動付勢されており、これにより配線保持体８５の左側(第１ＬＥＤ基板８０側)に臨む可動体用配線６３には右方へ引張る力が作用する。そして、可動体５３が配線保持体８５に対して左斜め下方へ離間するように移動するのに伴い、図２６に示す如く、配線保持体８５の左側に可動体用配線６３が左下方へ引張られることで配線保持体８５の可動体用配線６３との結束部が可動体５３側に回動する。そして、可動体５３が作動位置から待機位置に戻る際には、配線保持体８５が屈曲部６３ｃの弾力によって可動体用配線６３との結束部が上部中継基板８３側に回動付勢されることで、配線保持体８５の左側の可動体用配線６３を引張り、該可動体用配線６３が大きく弛むのを防止し得るよう構成される。なお、前記上部中継基板８３は、実施例では前記右対向面部４７ｄに配設される発光装飾装置５２の発光基板５２ａ(図２４参照)に一体に形成してある。
【００４６】
(磁石について)
図１１,図１２または図２２に示す如く、前記可動体５３における前板５３ａの前面上端部に、永久磁石(磁石)８７が固定部材８８を介して配設される。また、前記裏ユニット３６の上側の固定部４６には、可動体５３が待機位置に至った際に、前記永久磁石８７と対向する上画壁部４８ａに臨むようにして金属板等からなる磁着部材８９が配設されており、可動体５３が下方から待機位置に移動した際には、永久磁石８７が磁着部材８９に磁着して、可動体５３を待機位置に保持し得るよう構成してある。なお、可動体５３に金属板等からなる磁着部材を配設すると共に上側の固定部４６に永久磁石を配設したり、可動体５３および上側の固定部４６の両方に永久磁石を配設してもよく、両方を永久磁石とした場合は一方が磁着部材となる。
【００４７】
(導電部材について)
前記可動体５３の上端部には、金属板等からなる導電部材９０が、可動体５３におけるメッキが施されている面と接触するように配設されており、該導電部材９０の上端面は、可動体５３における上側の壁板５３ｂの上面と略面一となるように位置している。また、前記裏ユニット３６における可動演出装置４９の配設位置より左方に配設される前記第２装飾可動装置５１の後述する取付盤１２１の右端部に、板バネ等からなる弾性を有するアース部材９１が、固定部９１ａを介して配設されている。該アース部材９１における固定部９１ａには、図２５に示す如く、右方に延出する接触片９１ｂが設けられ、該接触片９１ｂは、可動体５３が待機位置に至った際に前記導電部材９０と当接する位置に臨んでいる。すなわち、可動体５３が下方から待機位置に移動した際に、導電部材９０がアース部材９１の接触片９１ｂに接触することで、該導電部材９０を介して可動体５３とアース部材９１との電気的な導通を図るよう構成される。なお、アース部材９１の接触片９１ｂは、該接触片９１ｂに負荷が加わっていない状態では、図２６に示す如く、可動体５３の待機位置における導電部材９０の上端位置より下方に臨むように折曲形成されており、可動体５３が待機位置に到来したときには導電部材９０によって接触片９１ｂが弾性変形し、該接触片９１ｂの復帰弾力によって導電部材９０との接触が維持されるようになっている。
【００４８】
また、前記永久磁石８７が磁着部材８９に磁着することで前記可動体５３を保持する位置において、前記アース部材９１の接触片９１ｂに可動体５３の導電部材９０が接触するよう設定されており、該磁石８７および磁着部材８９により、アース部材９１と導電部材９０との接触状態も維持されるようになっている。なお、アース部材９１は、メッキが施された前記取付盤１２１に接続する図示しないアース線を介してパチンコ機１０の前記電源装置(アース部)２８に電気的に接続されている。
【００４９】
(第１検出手段について)
前記裏ユニット３６の上対向面部４７ａには、図２３に示す如く、上画壁部４８ａ側から下方に所定長さで延出する第１検出片９２が突設されている。これに対し、前記可動体５３の裏面上部には前記第１検出片９２を検出可能な第１検出手段９３が配設され、該第１検出手段９３による第１検出片９２の検出信号に基づいて、前記第１駆動モータ６７が前記主制御装置３２により駆動制御されるよう構成される。実施例では、第１検出手段９３が第１検出片９２を検出する原位置は、前記可動体５３が待機位置に近接し、かつ前記永久磁石８７の磁力が磁着部材８９に作用しない位置に設定される。そして、原位置より下方から可動体５３を上昇するよう駆動している第１駆動モータ６７は、第１検出手段９３が第１検出片９２を検出した時点から予め設定されたステップ数(Ｎステップ)だけ回転を継続した後に停止することで、可動体５３が待機位置に位置決めされるよう設定される。
【００５０】
なお、実施例の第１検出手段９３は、可動体５３が前記原位置から待機位置まで移動する間は第１検出片９２を検出する状態を維持するよう構成されている。また実施例の可動演出装置４９では、可動体５３を上下方向に所定幅で移動する振動演出が行なわれるよう設定されており、該振動演出を行なう場合は、前記待機位置の可動体５３を下降するよう第１駆動モータ６７が駆動され、前記第１検出手段９３が第１検出片９２を検出しなくなった時点から更に予め設定されたステップ数(Ｎ１ステップ)だけ回転した位置を基点として、予め設定されたステップ数(Ｎ２ステップ)で下降および上昇を繰り返すように第１駆動モータ６７が駆動制御される。そして、前記基点は、永久磁石８７の磁力が磁着部材８９に作用しない位置に設定される。すなわち、振動演出に際しては、前記永久磁石８７の磁力が磁着部材８９に作用しない位置において可動体５３が上下動するよう構成されている。前記第１検出手段９３としては、受光素子および発光素子を備えた光学式センサが採用されるが、前記第１検出片９２を検出可能なその他の形式の各種センサを用いることができる。
【００５１】
(第２検出手段について)
図２１に示す如く、前記第１装飾可動装置５０を構成する１つの第１装飾可動部材７１の裏側に第２検出片９４が突設されている。これに対し、前記可動体５３における前板５３ａの前面には、前記第２検出片９４を検出可能な第２検出手段９５が配設され、該第２検出手段９５による第２検出片９４の検出信号に基づいて、前記第２駆動モータ７３が前記主制御装置３２により駆動制御されるよう構成される。なお、前記第１および第２駆動モータ６７,７３に接続する配線８１および第１および第２検出手段９３,９５に接続する配線８１は、前記可動体５３における前板５３ａに設けられた前記係止フック８２に纏めて結束されて、該前板５３ａの左方に引き回された後に、後述する取付盤１２１の配線通孔１３１および裏ユニット３６の長孔１２０を介してユニット裏側に引き出されるよう構成される。
【００５２】
(図柄表示装置について)
次に、前記遊技盤３３に配設される前記図柄表示装置１３の構成につき説明する。図２９に示すように、実施例に係る図柄表示装置１３は、各種図柄を表示可能な液晶パネル９６が収容ケース９７に収容されたユニット部材であって、該収容ケース９７の裏面に、液晶パネル９６の表示を制御する表示制御装置９８や液晶パネル９６のバックライトを制御するインバータ装置(図示せず)が配設される。更に、前記表示制御装置９８およびインバータ装置の裏面側には、前記可動演出装置４９、第１装飾可動装置５０、後述する第２装飾可動装置５１等の各種可動により演出を行なう装置および第１発光装置７９、各発光装飾装置５２、後述する第２発光装置１２５等の各種発光により演出を行なう装置を制御する統括制御装置(制御装置)９９が前後に重なるよう配設されている(図５参照)。そして、統括制御装置９９の制御信号に基づいて表示制御装置９８が制御を実行して液晶パネル９６の表示面で図柄変動ゲームが行なわれると共に、可動演出装置４９や各装飾可動装置５０,５１等が可動すると共に、各発光装置７９,１２５や発光装飾装置５２等が発光するようになっている。なお、前記統括制御装置９９も前記主制御装置３２に配線接続され、該主制御装置３２からの制御信号に基づいて制御を実行するよう設定される。
【００５３】
前記収容ケース９７の左側面(左右の一方側面)の前端に、側方(左側面から離間する方向)へ突出する板状の係止突部１００,１００が上下に離間する２箇所に設けられている(図２９では右側)。この係止突部１００は、前記遊技盤３３の裏側に設けられる後述の左側壁部１０４(図８,図３０等参照)と係脱可能に係止されるようになっている。また、前記収容ケース９７の裏面には、右側面(左右の他方側面側)の上下端部に、後方へ突出する受け部１０１,１０１が夫々形成されており、遊技盤３３の裏側に設けた後述のロック部材１１０,１１０(図５等参照)が対応の受け部１０１,１０１に対して係脱可能に係止されるようになっている。
【００５４】
(裏ユニットの裏側の構造について)
前記裏ユニット３６の裏面には、図８に示す如く、前記開口部３６ａを囲繞する位置に、上壁部１０２、下壁部１０３、左側壁部１０４および右側壁部(移動規制手段)１０５が後方に突出するように立設されている。そして、これら４つの壁部１０２,１０３,１０４,１０５によって、前記図柄表示装置１３が設置される設置領域Ｓが略矩形状に画成される。すなわち、上壁部１０２が設置領域Ｓの上辺を区画し、下壁部１０３が設置領域Ｓの下辺を区画し、左側壁部１０４が設置領域Ｓの左辺を区画し、右側壁部１０５が設置領域Ｓの右辺を区画して、こられ４つの壁部１０２,１０３,１０４,１０５によって、設置領域Ｓに設置された図柄表示装置１３の上下および左右方向の移動を規制するよう構成される。なお、設置領域Ｓに対応する裏ユニット３６の裏面について、以後は設置面１０６と指称する。
【００５５】
前記設置領域Ｓを画成する上下の壁部１０２,１０３の離間寸法は、前記図柄表示装置１３の上下幅寸法と略一致するよう設定される。また、前記左側壁部１０４における設置領域Ｓ側である内面には、前記開口部３６ａ側に突出する当接案内片１０７が、上下に離間する複数箇所に設けられている。この当接案内片１０７には、基端部側(設置面１０６に近接する根元部)に位置して前記図柄表示装置１３の左側面に当接する当接面１０７ａと、該当接面１０７ａの後端に連設されて後方へ向かうにつれて開口部３６ａから離間する方向へ傾斜する案内面１０７ｂとが設けられている(図３０参照)。そして、設置領域Ｓを画成する左右の側壁部１０４,１０５は、該右側壁部１０５から前記当接案内片１０７の当接面１０７ａまでの離間寸法が、前記図柄表示装置１３の左右幅寸法と略一致するよう設定されている。すなわち、設置領域Ｓへの図柄表示装置１３の設置時には、前記当接案内片１０７の案内面１０７ｂに当接した図柄表示装置１３の左側面を、該案内面１０７ｂで当接面１０７ａへ向けて誘導するようになっている。そして実施例では、当接案内片１０７における当接面１０７ａが形成される部位が、設置領域Ｓに図柄表示装置１３を設置した際に左側面を当接支持するリブとして機能し、該図柄表示装置１３の左側面と案内面１０７ｂとの間には、所要の隙間が生ずるよう設定される。
【００５６】
前記図柄表示装置１３の係止突部１００が設けられる左側面に対応する前記左側壁部１０４には、図３０に示す如く、各係止突部１００が挿脱可能な差込み口１０４ａが、設置領域Ｓ側に開口するよう形成されている。この差込み口１０４ａは、設置領域Ｓに対して図柄表示装置１３を設置する際に、該図柄表示装置１３の左端部を設置面１０６に近接すると共に右端部を設置面１０６から離間した傾斜姿勢の状態で、前記収容ケース９７の左側面に形成した係止突部１００の挿入を許容し、収容ケース９７の前面を設置面１０６に当接する姿勢としたときに、該差込み口１０４ａの後縁を画成する左側壁部１０４に係止突部１００が当接して位置規制されるよう設定される。
【００５７】
(台座部について)
前記上壁部１０２および下壁部１０３における右端部には、後述するロック部材１１０が回動自在に配設される台座部１０８が夫々設けられている。両台座部１０８,１０８の構成は基本的には上下対称であるので、上壁部１０２に設けられる台座部１０８の構成についてのみ説明し、下壁部１０３に設けられる台座部１０８と同一部位には同じ符号を付して詳細な説明を省略する。
【００５８】
前記台座部１０８の後端面(後方への突出端面)には、図３１または図３２に示す如く、左右方向に離間する一対のボス１０９,１０９が、後方に向けて突設され、右側(右側壁部１０５に近接する側で図３１では左側)のボス１０９に、ロック部材(移動規制手段)１１０が回動自在に取付けられるよう構成される。各ボス１０９には後面に開口するネジ孔が形成されており、ボス１０９,１０９の後端に固定金具１１１をネジ止め固定することで、該固定金具１１１によりロック部材１１０が台座部１０８に対して回動可能な状態で保持されるようになっている。なお、固定金具１１１をボス１０９,１０９にネジ止めした状態で、ロック部材１１０は、後述する係止位置および解除位置での姿勢を維持し得る程度の力で、台座部１０８の後面と固定金具１１１との間に挟持されるよう設定してある。またロック部材１１０が取付けられるボス１０９について、特に区別する場合は、以後支持ボスと指称する。
【００５９】
前記台座部１０８の後端面には、ロック部材１１０が配設される支持ボス１０９の右側(一側方)に、該ロック部材１１０に設けられる後述する規制突部１１５ａ,１１５ａの回動軌跡に沿って延在する凹部１１２が前側に向けて凹設されている。また台座部１０８の後端面には、支持ボス１０９の下側(下側の台座部１０８では支持ボス１０９の上側)において、前記ロック部材１１０が係止位置に臨んだ際に、前記規制突部１１５ａが係止される係止凹部１１３が前側に向けて凹設されている。更に、台座部１０８の後端面には、前記係止凹部１１３の上側に、弾性変形可能な規制片１１４が後方に向けて所定長さで突設されている。この規制片１１４は、ロック部材１１０が係止位置と解除位置との間を回転する際に、該ロック部材１１０の後述する当接面部１１５における摘み部１１７が設けられていない側における左右一方の角部が当接する位置に設けられる。また規制片１１４は、ロック部材１１０が解除位置から係止位置または係止位置から解除位置に回転する際には、当接面部１１５の一方の角部が当接した際に弾性変形して、該ロック部材１１０の係止位置への回転および解除位置への回転を許容するが、ロック部材１１０が解除位置に至ったときには当接面部１１５の側端面に当接して回転を規制することで、ロック部材１１０を解除位置に位置決めするよう構成される。
【００６０】
(ロック部材について)
図５に示すように、前記台座部１０８の後端面には、図柄表示装置１３の前記受け部１０１の後面に当接して後方移動を規制する移動規制手段としてのロック部材１１０,１１０が配設されている。なお、両台座部１０８,１０８に配設されるロック部材１１０,１１０の基本的な構成は同一であるので、下側のロック部材１１０について説明し、上側のロック部材１１０に関しては、同一の符号を付して詳細な説明を省略する。
【００６１】
前記ロック部材１１０は、図３１および図３２に示す如く、前記台座部１０８の支持ボス１０９に一端部が枢支されたレバー状部材であって、該支持ボス１０９から上方に突出して前記図柄表示装置１３における受け部１０１の後面に当接係止可能な係止位置(図８参照)と、該台座部１０８上で支持ボス１０９から右側壁側に延在して該図柄表示装置１３との係止状態が解除された解除位置(図３２において二点鎖線で位置)の夫々の間を回転変位させるようになっている。ロック部材１１０は、図３３または図３４に示す如く、前記図柄表示装置１３の受け部１０１に当接可能な平面矩形状に形成された当接面部１１５と、該当接面部１１５の後面側における長手方向の一端部側に設けられて後方へ突出する軸受部１１６と、当接面部１１５の後面側において軸受部１１６から長手方向の他端部側に延在し、後方へ突出する摘み部１１７とから断面略Ｔ字状に形成されており、軸受部１１６および当接面部１１５に亘って前後に貫通するよう形成された通孔１１８に、前記支持ボス１０９が回動可能に挿通されることで、該ロック部材１１０が台座部１０８に取付けられる。そして、摘み部１１７を摘んでロック部材１１０を回転操作することで、該ロック部材１１０を前記係止位置および解除位置の間で回転させ得るようになっている。なお、前記摘み部１１７は、長手方向の略中央位置において窪むよう湾曲しており、摘み部１１７を摘み易くなっている。
【００６２】
前記当接面部１１５の前面側には、ロック部材１１０の係止位置において、前記軸受部１１６の下側(設置領域Ｓ側)において左右に離間して一対の規制突部１１５ａ,１１５ａが前方に向けて突設されている。この規制突部１１５ａ,１１５ａは、ロック部材１１０を係止位置から解除位置に向けて回転(図３２において反時計方向への回転)する際には、前記台座部１０８の凹部１１２の側壁に沿って案内されつつ移動し、ロック部材１１０が解除位置に至ったときには、凹部１１２の上下の端縁位置するよう設定される。また、ロック部材１１０を解除位置から係止位置に向けて回転し、該ロック部材１１０が係止位置に至ったときには、回転方向前側(図３２では右側)に位置する一方の規制突部１１５ａが、前記台座部１０８の係止凹部１１３に当接係止されてロック部材１１０の回転を規制し、該ロック部材１１０を係止位置に位置決めするよう構成される。なお、ロック部材１１０が解除位置に至ったときには、当接面部１１５の側端面(図３２において右側を向く側端面)が前記規制片１１４に当接してロック部材１１０の回転が規制されて、該ロック部材１１０が解除位置に位置決めされるようになっている。
【００６３】
ここで、前記ロック部材１１０を前記係止位置に変位した状態において、前記設置領域Ｓの設置面１０６から当接面部１１５までの離間寸法が、前記図柄表示装置１３の前面(収容ケース９７の前面)から受け部１０１までの前後の厚み寸法より僅かに短かく設定されている。すなわち、前記図柄表示装置１３を前記設置面１０６に当接させた状態では、係止位置に変位した状態で当接面部１１５が受け部１０１に当接するロック部材１１０の弾性によって係止される。
【００６４】
なお、前記裏ユニット３６の箱状本体４５(対向面部４７)の裏面側には、前記設置領域Ｓの下方位置に下部中継基板(基板)１１９が配設されており(図８参照)、該下部中継基板１１９に対して、前記可動演出装置４９、各装飾可動装置５０,５１、発光装飾装置５２からの配線８１が接続されている。この下部中継基板１１９には、前記図柄表示装置１３の裏側に配設した前記主制御装置３２および統括制御装置９９からの配線が接続されており、前記可動演出装置４９、各装飾可動装置５０,５１、発光装飾装置５２、発光装置７９,１２５の各装置を、主制御装置３２からの制御信号に基づいて統括制御装置９９が制御し得るようになっている。
【００６５】
(長孔について)
前記裏ユニット３６における前記上壁部１０２の上外方に隣接する位置に、図３５〜図３７等に示す如く、前後方向に貫通する長孔１２０が該上壁部１０２に沿って左右方向に延在するよう形成されている。この長孔１２０は、具体的には上壁部１０２と前記上画壁部４８ａとの間に形成されて、前記上対向面部４７ａにおいて左右幅方向の中央から前記左側壁部１０４に近接する位置まで延在するように開口している。また長孔１２０の左端部に位置して上壁部１０２と上画壁部４８ａとを連設する側面壁１３９に、左側外方に開口する出口１３９ａが形成され、該出口１３９ａが後述する収容部材１３３の引出し口１３４ｂと連通するよう構成される。
【００６６】
(第２装飾可動装置について)
前記裏ユニット３６における上対向面部４７ａの前側に、図３８に示す如く、第２装飾可動装置５１が、前記長孔１２０を覆う位置に配設されている。この第２装飾可動装置５１は、図３９に示す如く、合成樹脂を材料として横長に形成された前板１２１ａの外縁に沿って後方に延出する壁板１２１ｂを形成した後方に開放する横長箱状に形成された取付盤(装飾部材)１２１に、複数の第２装飾可動部材１２２、歯車機構１２３、第３駆動モータ(駆動手段,電気部品)１２４および第２発光装置１２５を配設してユニット化され、取付盤１２１を上対向面部４７ａに前側から着脱自在に取付けるよう構成される。
【００６７】
前記複数の第２装飾可動部材１２２の夫々は、前記第１装飾可動部材７１と同様に歯車を模した形状に形成されて、前記前板１２１ａの前側に回動自在に軸支されている。また第２装飾可動部材１２２には、前後に貫通する通孔１２２ａが周方向に離間して複数形成されている。なお、前板１２１ａの前側には、第２装飾可動部材１２２と同様に歯車を模した形状に形成された可動しない第２固定装飾体１２６が複数配設されている。
【００６８】
前記取付盤１２１の前板１２１ａには、右端部に偏った位置に、出力軸を前板裏側に突出した後向き姿勢で第３駆動モータ１２４が配設されている。また前板１２１ａの裏側には、複数の歯車１２７から構成される歯車機構１２３が配設され、該歯車機構１２３に前記第３駆動モータ１２４および第２装飾可動部材１２２が連繋されている。そして、第３駆動モータ１２４を駆動することで、歯車機構１２３を介して複数の第２装飾可動部材１２２が回転するよう構成される。
【００６９】
(第２発光装置について)
前記取付盤１２１の裏側には、前板１２１ａとの間に前記歯車機構１２３を収容可能な空間を画成して第２発光装置１２５が配設される。この第２発光装置１２５は、前板１２１ａの裏面を略覆い得る形状に形成された第２ＬＥＤ基板(基板)１２８と、該第２ＬＥＤ基板１２８の前面に適宜のパターンで配設された複数のＬＥＤ(発光体)１２８ａとから構成され、第２ＬＥＤ基板１２８が複数のネジ１２９を介して裏側から前板１２１ａにネジ止め固定されている。このネジ１２９は、図４０に示す如く、前記長孔１２０と対応する位置に設けられ、取付盤１２１を上対向面部４７ａに取付けた際に、第２ＬＥＤ基板１２８を固定するネジ１２９の頭部が上対向面部４７ａと干渉しないようにしてある。また前記前板１２１ａには、各ＬＥＤ１２８ａと対応する位置に貫通孔１３０が形成されており、ＬＥＤ１２８ａからの光は、貫通孔１３０を介して前方に照射されるよう構成してある。なお、一部の貫通孔１３０およびＬＥＤ１２８ａは、前板１２１ａの前側に配設される前記第２装飾可動部材１２２が回転した際に通孔１２２ａが移動する軌跡上に位置して、第２装飾可動部材１２２の回転によって、光が遮ぎられたり遮られない状態に変化するようになっている。
【００７０】
前記取付盤１２１の前板１２１ａには、前記第３駆動モータ１２４に近接する位置で、前記長孔１２０と対応する位置に配線通孔１３１が前後方向に貫通して形成されており、第３駆動モータ１２４に接続される配線８１は、該配線通孔１３１を介して裏ユニット３６の裏側に引き出されるよう構成される。また配線通孔１３１には、前記可動演出装置４９に配設される前記第１駆動モータ６７、第２駆動モータ７３、第１検出手段９３および第２検出手段９５に接続する配線８１も前側から挿通されて裏ユニット３６の裏側に引き出されるようになっている。なお、配線通孔１３１の下端縁側には、後方に所定長さで延出する支持片１３２が形成されており、取付盤１２１を上対向面部４７ａに取付けた状態で、該支持片１３２が前記上壁部１０２上に位置している。この支持片１３２は、配線通孔１３１から裏側に引き出される各種配線８１が垂れ下がるのを防止するべく機能する。
【００７１】
前記取付盤１２１の右端部の裏側には、前記左ガイド部材５４における第２左ガイド５４ｂが着脱自在に配設されている。そして、取付盤１２１を上対向面部４７ａに取付けることで、該第２左ガイド５４ｂが、上対向面部４７ａに配設されている第１左ガイド５４ａの前側に、前記左ガイド溝５６を画成した状態で位置決めされるようになっている。また取付盤１２１の右端部には、前記アース部材９１の固定部９１ａが位置決め固定されるよう構成される。なお、取付盤１２１の全体にはメッキが施されており、該取付盤１２１に固定されるアース部材９１は取付盤１２１とは電気的に導通しており、該取付盤１２１に接続するアース線(図示せず)を介して後述するように可動演出装置４９や第１装飾可動装置５０等で発生した静電気を電源装置２８に逃し得るようになっている。
【００７２】
(収容部材について)
前記取付盤１２１には、前記長孔１２０に対応する位置に、左右方向に離間して後方に開口する複数のネジ孔が形成されており、該ネジ孔に裏側から螺挿されるネジを介して収容部材１３３が着脱自在に取付けられる。この収容部材１３３は、図３９または図４１に示す如く、横長の略矩形状に形成された垂直板１３３ａにおける上下の端縁に沿って水平板１３３ｂ,１３３ｂが後方に延出する縦断面コ字状に形成されて、後方および左右両側方に開口する配線収容部１３４を画成している。そして、取付盤１２１を上対向面部４７ａに取付けた状態で、該収容部材１３３が前記長孔１２０内に収容されるよう構成される。また収容部材１３３は、前記前板１２１ａに形成された配線通孔１３１の左端縁から前板１２１ａの左端縁に至る長さ寸法に設定されており(図３６参照)、配線通孔１３１から裏側に引き出された各種配線８１を、該収容部材１３３の配線収容部１３４に収容した状態で前板１２１ａの左端部まで引き回し得るよう構成される。すなわち、収容部材１３３における右端側(配線通孔１３１側)の開口が、配線の引込み口１３４ａとして機能し、左端側の開口が、配線の引出し口１３４ｂとして機能するようにしてある。そして、収容部材１３３を長孔１２０内に収容した状態で、前記引出し口１３ｂが前記左側壁部(一方の側壁部)に近接すると共に、前記側面壁１３９の出口１３９ａに連通し、該引出し口１３４ｂおよび出口１３９ａから外側方に引き出された配線８１が左側壁部１０４の側外方を引き回されるようになっている。
【００７３】
前記収容部材１３３には、蓋部材１３５が着脱自在に配設されて、該収容部材１３３の後開口部１３３ｃを蓋部材１３５で閉成し得るよう構成される。この蓋部材１３５は、上下寸法が収容部材１３３の上下の水平板１３３ｂ,１３３ｂ間の離間寸法と略同一に設定されると共に、左端部の上下位置に係合突起１３５ａ,１３５ａが突設されている。これに対し、収容部材１３３における水平板１３３ｂ,１３３ｂの左端部には、前記係合突起１３５ａ,１３５ａが係脱自在な係合孔１３３ｄ,１３３ｄが形成されており、該係合孔１３３ｄ,１３３ｄに係合突起１３５ａ,１３５ａを係合した状態で、蓋部材１３５が収容部材１３３に対して回動可能に装着可能に構成されている。そして、蓋部材１３５で収容部材１３３の後開口部１３３ｃを閉成した際には、該蓋部材１３５が上下の水平板１３３ｂ,１３３ｂの間に嵌まって、蓋部材１３５が水平板１３３ｂ,１３３ｂより後方に突出しないよう構成してある。なお、前記取付盤１２１を上対向面部４７ａに取付けた状態で、前記長孔１２０に収容されている収容部材１３３における上下の水平板１３３ｂ,１３３ｂの延出端(後端)は、前記上壁部１０２の後端と略同一位置に臨むよう設定されており、よって収容部材１３３および蓋部材１３５の何れもが、前記図柄表示装置１３の設置領域Ｓを区画する上壁部１０２より後方に突出しないようになっている。また蓋部材１３５は、収容部材１３３の後開口部１３３ｃの閉成状態で、複数のネジによって収容部材１３３に固定される。
【００７４】
前記蓋部材１３５の右端部には、収容部材１３３の右端部から右方に延出する覆部１３５ｂが一体に形成されており、該覆部１３５ｂによって、前記取付盤１２１に形成した配線通孔１３１の後方を覆うよう構成される。なお、取付盤１２１を上対向面部４７ａに取付けた状態で、配線通孔１３１と対応する長孔１２０の前側は塞がれておらず、該長孔１２０における配線通孔１３１と対応する部位が、各種配線８１を前側から裏側へ引き出すための挿通口としても機能するようになっている。すなわち、蓋部材１３５の覆部１３５ｂは、長孔１２０における挿通口として機能する部位を後側から覆うよう構成される。そして、前記配線通孔１３１からユニット裏側に引き出される各種配線８１は、蓋部材１３５に規制されて後方に延出しないよう構成され、後述するように前記設置領域Ｓに図柄表示装置１３を設置する際に、配線８１が図柄表示装置１３と上壁部１０２との間に挟み込まれるのを防止するようになっている。
【００７５】
(係止部について)
前記裏ユニット３６の裏面には、前記側面壁１３９の外側方(図４０では右方)で、前記左側壁部１０４より更に外側方に臨む位置に上係止部１４０が形成され、前記引出し口１３４ｂおよび出口１３９ａから外側方に引き出された配線８１は、該上係止部１４０に係止された後に下側に引き回されるよう構成される。すなわち、出口１３９ａから外側方に引き出された配線８１は、左側壁部１０４の外側方まで上壁部１０２の後方に飛び出すことなく案内されるようになっている。また裏ユニット３６の裏面には、左側壁部１０４の側外方に、上下方向に離間して複数の横係止部(係止部)１３６が設けられており、前記収容部材１３３の配線収容部１３４から引き出されて前記上係止部１４０によって左側壁部１０４の側外方に案内された後に該左側壁部１０４に沿って引き回される配線８１が、該横係止部１３６に係止されるようになっている。そして、左側壁部１０４の下端まで引き回された配線８１が、前記下部中継基板１１９に接続されるよう構成される。
【００７６】
前記取付盤１２１の前面には、パチンコ機１０のモチーフとなるキャラクタに関連する形状に形成された各種の装飾部品１３７や、ＬＥＤ等の発光体を配設した基板を備える左発光演出装置１３８が配設されている(図７参照)。なお、左発光演出装置１３８も、他の発光装置７９,１２５や発光演出装置４２等と同様に、前記主制御装置３２からの制御信号に基づいて統括制御装置９９が制御するよう構成される。
【００７７】
〔実施例の作用〕
次に、前述した実施例に係るパチンコ機１０の作用につき説明する。
【００７８】
(可動演出装置および第２装飾可動装置の配線の保護について)
先ず、前記裏ユニット３６に対する可動演出装置４９および第２装飾可動装置５１の取付け時における配線の保護について説明する。前記裏ユニット３６の上対向面部４７ａに、前記左ガイド部材５４の第１左ガイド５４ａおよび右ガイド部材５５の第１右ガイド５５ａを配設し、前記可動演出装置４９の可動体５３を、左右の支持部６５,６６が第１左ガイド５４ａおよび第１右ガイド５５ａの前側に臨む状態に位置決めする(図１２参照)。そして、前記第１および第２駆動モータ６７,７３と、第１および第２検出手段９３,９５に接続する配線８１を、取付けられる前の前記第２装飾可動装置５１の取付盤１２１に形成されている配線通孔１３１に前側から裏側へ挿通すると共に、該取付盤１２１の裏面に配設されている前記収容部材１３３の右端に形成される引込み口１３４ａから配線収容部１３４に収容し、該配線収容部１３４から収容部材１３３の左端に形成される引出し口１３４ｂから左側外方に引き出しておく。また、第２装飾可動装置５１に配設されている第３駆動モータ１２４に接続する配線８１についても、前記取付盤１２１の配線通孔１３１に前側から裏側へ挿通すると共に、前記収容部材１３３の引込み口１３４ａから配線収容部１３４に収容し、該配線収容部１３４から引出し口１３４ｂを介して左側外方に引き出しておく。更に、前記収容部材１３３に蓋部材１３５を取付けて該収容部材１３３の後開口部１３３ｃを閉成した状態で固定することで、配線収容部１３４に収容された配線８１が上下および後方に延出しないようにする。
【００７９】
前記第２装飾可動装置５１を裏ユニット３６の上対向面部４７ａに取付ける際には、前記収容部材１３３の配線収容部１３４から引出し口１３４ｂを介して左側外方に引き出されている配線８１を前記長孔１２０に前側から裏側へ挿通した状態で、収容部材１３３を該長孔１２０に前側から嵌め込んだ後に、前記取付盤１２１をネジ止め固定する(図３６参照)。すなわち、前記可動演出装置４９や第２装飾可動装置５１の各種電気部品に接続されて裏ユニット３６の裏側に引き出される配線８１は、前記取付盤１２１の裏面に配設されている収容部材１３３の配線収容部１３４に収容されて該収容部材１３３の上下方向に延出していないから、該収容部材１３３を長孔１２０に嵌め込む際、すなわち取付盤１２１を上対向面部４７ａに取付ける際に、前記配線８１が長孔１２０と収容部材１３３および上対向面部４７ａと取付盤１２１との間に挟み込まれることはなく、第２装飾可動装置５１の取付け作業を容易に行ない得る。第２装飾可動装置５１を取付けるのに先立って行なわれる配線８１を長孔１２０に挿通する作業に際しても、該長孔１２０の開口寸法は複数の配線８１を纏めたものの外径寸法に対して充分に大きいから、長孔１２０への挿通時に配線８１が長孔１２０の縁部に引っ掛かって折曲するのは抑制される。すなわち、取付盤１２１(第２装飾可動装置５１)を上対向面部４７ａに取付ける際に配線８１の一部が上対向面部４７ａの前側に臨んだままとなっていることはなく、該取付盤１２１(第２装飾可動装置５１)と裏ユニット３６との間での配線８１の挟み込みを確実に防ぐことができる。また、収容部材１３３が収容される長孔１２０は、取付盤１２１(第２装飾可動装置５１)で覆われて前側から視認されることはないから、該長孔１２０を隠すための専用の部材を必要とせず、コストを低廉に抑えることができる。更に、収容部材１３３に対して蓋部材１３５は回動可能に装着してあるから、第２装飾可動装置５１を裏ユニット３６に取付けた状態で、蓋部材１３５を取外すことなく必要に応じて収容部材１３３の後開口部１３３ｃを開放することができる。
【００８０】
前記裏ユニット３６の裏側において前記収容部材１３３の配線収容部１３４から左端部の引出し口１３４ｂおよび側面壁１３９の出口１３ａを介して左側外方に引き出された配線８１は、裏ユニット３６の裏面に形成された左側壁部１０４より左側外方に位置する上係止部１４０に係止された後に、該左側壁部１０４の左側外方を下方に引き回される。そして、該配線８１は、左側壁部１０４の左側外方に配設された複数の横係止部１３６に係止しつつ該左側壁部１０４に沿って引き回した後、前記下部中継基板１１９に接続する。
【００８１】
前記第２装飾可動装置５１を上対向面部４７ａに取付けることで、前記取付盤１２１の右端部に配設されている第２左ガイド５４ｂが、前記第１左ガイド５４ａの前側に位置決めされ、両左ガイド５４ａ,５４ｂの間に画成される左ガイド溝５６に前記可動体５３の左支持部６５が臨むと共に、該左支持部６５は前後の左案内リブ５７,５７で移動可能に挟持された状態となる。また、前記第１右ガイド５５ａの前側に第２右ガイド５５ｂをネジ止め固定することで、両右ガイド５５ａ,５５ｂの間に画成される右ガイド溝５９に可動体５３の右支持部６６が臨むと共に、該右支持部６６は前後の右案内リブ６０,６０で移動可能に挟持された状態となる。前記可動体５３に配設されている前記第１ＬＥＤ基板８０の左端上部に位置するソケット８０ｂに一端のプラグ６３ａを介して接続する可動体用配線６３を、前記第２右ガイド５５ｂの前側に臨ませた状態で他端のプラグ６３ｂを前記上部中継基板８３のソケット８３ａに接続する。そして、第２右ガイド５５ｂの前側に第３右ガイド５５ｃをネジ止め固定することで、両右ガイド５５ｂ,５５ｃの間に画成される案内路６２に可動体用配線６３が左右方向に挿通され、該可動体用配線６３は、前後方向への変位が両右ガイド５５ｂ,５５ｃにより規制されるが、案内路６２(右ガイド５５ｂ,５５ｃ)に沿う上下方向への変位は許容された状態で支持される。また、可動体用配線６３における右ガイド部材５５と上部中継基板８３との間に臨む部位を、前記配線保持体８５に結束具８６で結束する。このとき、可動体用配線６３における配線保持体８５と上部中継基板８３との間に臨む部位に、所定長さで屈曲された屈曲部６３ｃが形成される(図２５参照)。
【００８２】
(遊技盤に対する図柄表示装置の着脱について)
次に、前記遊技盤３３(裏ユニット３６)に対する図柄表示装置１３の固定につき説明する。前記図柄表示装置１３を前記裏ユニット３６の設置面１０６に対して斜めの姿勢としたもとで、該図柄表示装置１３の左側面に形成した一対の係止突部１００,１００を裏ユニット３６の左側壁部１０４に形成した対応の差込み口１０４ａ,１０４ａに挿入し、この状態で右側面が裏ユニット３６に近接するよう図柄表示装置１３を回転させる。そして、図柄表示装置１３の前面(収容ケース９７)を前記裏ユニット３６の設置面１０６に当接させると共に、上下のロック部材１１０,１１０を解除位置から係止位置へ回転変位させて、該上下のロック部材１１０,１１０を図柄表示装置１３の対応する受け部１０１,１０１に当接させることで、当該図柄表示装置１３が裏ユニット３６の設置領域Ｓに固定保持される(図５参照)。このとき、図柄表示装置１３の前面が、前記設置面１０６に当接すると共に、該図柄表示装置１３の後面(受け部１０１,１０１)が、前記上下のロック部材１１０,１１０に当接することで、当該図柄表示装置１３の前後移動が規制される。また、図柄表示装置１３の右側面が、前記右側壁部１０５に当接すると共に、該図柄表示装置１３の左側面が、前記左側壁部１０４に形成した当接案内片１０７の当接面１０７ａに当接することで、当該図柄表示装置１３の左右移動が規制される。更に、前記図柄表示装置１３の上面が、前記上壁部１０２に当接すると共に、該図柄表示装置１３の下面が、前記下壁部１０３に当接することで、当該図柄表示装置１３の上下移動が規制される。
【００８３】
一方、前記遊技盤３３(裏ユニット３６)から図柄表示装置１３を取外すには、前記上下のロック部材１１０,１１０を係止位置から解除位置に回転変位させて、該上下のロック部材１１０,１１０を図柄表示装置１３の対応する受け部１０１,１０１から離間させ、この状態で、図柄表示装置１３の右側面側が後方に移動するよう回転させる。そして、前記図柄表示装置１３の左側面に形成した一対の係止突部１００,１００を、前記裏ユニット３６の左側壁部１０４に形成した対応の差込み口１０４ａ,１０４ａから抜き出すことで、当該図柄表示装置１３が裏ユニット３６の設置領域Ｓから取外される。このように、図柄表示装置１３を遊技盤３３(裏ユニット３６)に取付ける際には、遊技盤３３(裏ユニット３６)に設けた差込み口１０４ａ,１０４ａに、図柄表示装置１３の係止突部１００,１００を挿入したもとで、図柄表示装置１３の収容ケース９７を設置面１０６に当接させてロック部材１１０,１１０を係止位置に回転変位させるだけでよく、反対に図柄表示装置１３を遊技盤３３(裏ユニット３６)から取外す際には、ロック部材１１０,１１０を解除位置に変位させて差込み口１０４ａ,１０４ａから係止突部１００,１００を抜き出すだけでよいから、重量の嵩む図柄表示装置１３であっても容易に着脱作業を行ない得る。
【００８４】
(ロック部材の操作について)
前記設置領域Ｓの設置面１０６に前面を当接した図柄表示装置１３を固定するために解除位置のロック部材１１０を係止位置に向けて回転変位すると、前記当接面部１１５に設けられている規制突部１１５ａが前記台座部１０８の係止凹部１１３に当接係止されて、該ロック部材１１０は係止位置に位置決めされる。また、ロック部材１１０が係止位置に至る直前に、前記当接面部１１５の角部が前記台座部１０８に設けた規制片１１４に当接してこれを弾性変形させつつ回転する際に加わる負荷に対し、該角部が規制片１１４から離間することで負荷が軽減することで、作業者はロック部材１１０が係止位置に至ったことを判断できる。すなわち、作業者はロック部材１１０が係止位置に至ったことを把握でき、ロック部材１１０を回し過ぎて該ロック部材１１０や台座部１０８を破損してしまうのを防止し得る。更に、実施例のロック部材１１０は、２本のネジを介して台座部１０８に固定される固定金具１１１を介して回動自在に保持される構成であるから、係止位置において図柄表示装置１３からロック部材１１０に加わる負荷に対する耐久性が高く、長期に亘って図柄表示装置１３を設置領域Ｓに保持し得る。すなわち、パチンコ機１０または遊技盤３３の運搬や外枠１１に対する中枠１２の開閉により振動が発生しても、図柄表示装置１３が前後方向に移動するのを極力抑制することができる。
【００８５】
また、前記ロック部材１１０を係止位置から解除位置に回転変位した際には、前記台座部１０８の規制片１１４に前記当接面部１１５の側端縁が当接することで回転が規制されて、該ロック部材１１０は解除位置に位置決めされる。すなわち、ロック部材１１０の回転が規制されることで、作業者はロック部材１１０が解除位置に至ったことを把握できる。
【００８６】
(図柄表示装置の取付け時における配線の保護について)
前記裏ユニット３６の裏側に設けられる図柄表示装置１３の設置領域Ｓは、図５または図８に示す如く、裏面から後方に立上がる上下の壁部１０２,１０３および左右の側壁部１０４,１０５により区画されて、各壁部１０２,１０３,１０４,１０５の外方の裏面とは仕切られている。そして、裏ユニット３６の前側における上対向面部４７ａに配設される前記可動演出装置４９および第２装飾可動装置５１の各配線８１が引き回される上壁部１０２の上方位置では、前述したように該配線８１は前記収容部材１３３の配線収容部１３４に収容された状態で左側壁部１０４の近傍で引き出されて該左側壁部１０４の側外方に引き回されている(図３６参照)。すなわち、可動演出装置４９および第２装飾可動装置５１に接続して設置領域Ｓの上方において裏ユニット３６の裏側に引き出されている配線８１は、前記上壁部１０２を越えて設置領域Ｓに延出することはなく、該設置領域Ｓに図柄表示装置１３を取付ける際に、該図柄表示装置１３に配線８１が引っ掛かったり裏ユニット３６との間に該配線８１が挟まれることはない。従って、図柄表示装置１３の取付け作業性が向上する。なお、前記収容部材１３３の引出し口１３４ｂおよび裏ユニット３６の側面壁１３９の出口１３９ａを介して側外方に引き出された配線８１は、前述したように左側壁部１０４より左側外方に位置する上係止部１４０に係止された後に、左側壁部１０４の外側方を下方に引き回される。すなわち、前記出口１３９ａから出た直後の配線８１が上壁部１０２を越えるのも確実に防止することができる。
【００８７】
また、前記収容部材１３３および蓋部材１３５は、上壁部１０２から後方に突出していないから、図柄表示装置１３の取付け時に該図柄表示装置１３が収容部材１３３および蓋部材１３５に接触して損傷するのを防止し得る。
【００８８】
前述したように図柄表示装置１３は、裏ユニット３６の設置面１０６に対して左端部側が近接する傾斜姿勢で、前記係止突部１００を前記左側壁部１０４に形成した差込み口１０４ａに内側(設置領域内側)から差し込む構成であるから、該左側壁部１０４の側外方を引き回される配線８１が図柄表示装置１３と裏ユニット３６と間に挟まれることは殆どない。しかも、設置領域Ｓに対する図柄表示装置１３の設置状態で、左側壁部１０４と図柄表示装置１３とは、該図柄表示装置１３の左端面と左側壁部１０４の内面に形成された当接案内片１０７における基部側に位置する当接面１０７ａとが当接した状態となるよう構成される。そして、当接案内片１０７における当接面１０７ａの後端に形成されて左側壁部１０４の後端まで傾斜して延在する案内面１０７ｂと図柄表示装置１３の左側面とは離間しているから、設置領域Ｓの開口端側(後端側)において配線８１が図柄表示装置１３と左側壁部１０４との間に挟み込まれるのを抑制し得る。すなわち、左側壁部１０４の側外方を引き回される配線８１を、全体が後方に延出するのを防ぐような収容部を設ける必要はなく、実施例のような上下方向に離間する複数の係止部１３６を用いることで、配線８１の挟み込みを充分に防ぐことができ、裏ユニット３６の構造を簡略化してコストを低減することが可能となる。
【００８９】
更に、前記裏ユニット３６における設置領域Ｓと上側の固定部４６との間の位置において、前記配線８１は配線収容部１３４に収容されて上方(固定部側)へも延出していないから、遊技盤３３の中枠１２に対する取付け時において該配線８１が前記球タンク２５との間に挟み込まれるのも防止されて、遊技盤３３の取付け作業性を向上し得る。
【００９０】
前述したように図柄表示装置１３の取付け時における配線８１の挟み込みを防止する収容部材１３３を、裏ユニット３６とは別部材で構成して前記長孔１２０に収容するようにしたから、前記可動演出装置４９や第２装飾可動装置５１の配設位置を変更する等の設計変更を予め見越して長孔１２０の寸法等を設定しておけば、設計変更に際して裏ユニット３６の全体を設計変更することなく収容部材１３３の変更のみで対応することができる。しかも、長孔１２０の形状は単純であるから、裏ユニット３６の金型費を低廉に抑えることができる。また、収容部材１３３を第２装飾可動装置５１の取付盤１２１に裏側からネジ止め固定するよう構成してあるから、裏ユニット３６に収容部材１３３の固定部を設けたり固定するためのネジ等を省略することができ、裏ユニット３６の構成を簡略化してコストを低減し得る。しかも、前記取付盤１２１の裏面に第２ＬＥＤ基板１２８を固定するためのネジ１２９は、前記長孔１２０に臨むよう設定されているから(図４０参照)、裏ユニット３６に該ネジ１２９と干渉しない凹部等を設ける必要はなく、裏ユニット３６の構成を簡略化してコストをより低減することができる。
【００９１】
(可動演出装置の作用について)
前記遊技領域３４に打出されたパチンコ球は、前記枠状装飾体４１の主に左側の遊技領域３４を流下し、該パチンコ球が前記球通路部４４に通入すると、該パチンコ球は前記ステージ４３に通出され、該ステージ４３を左右に転動した後に遊技領域３４に排出され、このパチンコ球は始動入賞装置３９や普通入賞装置１４１に入賞可能となる。
【００９２】
前記始動入賞装置３９にパチンコ球が入賞すると、前記主制御装置３２の制御下で表示制御装置９８の制御信号に基づいて、前記図柄表示装置１３の図柄が変動開始され、所要の図柄組合わせゲームが展開される。そして、前記図柄表示装置１３で展開される図柄変動ゲームの結果、図柄表示装置１３に所定の図柄組合わせで図柄が停止表示されたときに、前記特別入賞装置４０が入賞口を開放して所謂大当りが発生し、多数の賞球の獲得が可能となる。
【００９３】
また、前記図柄表示装置１３で展開される図柄変動ゲームの演出に応じて、前記可動演出装置４９や第１および第２装飾可動装置５０,５１が、主制御装置３２の制御下で統括制御装置９９により作動制御されて、各可動体５３や各装飾可動部材７１,１２２が作動されて動的な演出により遊技の興趣が高められる。また、可動演出装置４９および第２装飾可動装置５１に配設されている両発光装置７９,１２５も、図柄変動ゲームの演出に応じて主制御装置３２の制御下で統括制御装置９９からの制御信号に基づいて発光制御されて、発光による演出により遊技の興趣が向上される。なお、その他の発光装飾装置５２、前側発光演出装置４２、左発光演出装置１３８についても、統括制御装置９９により発光制御され、発光による演出が行なわれる。
【００９４】
前記可動演出装置４９においては、前記可動体５３が待機位置に臨む状態で、前記第１駆動モータ６７が所定方向に回転するよう駆動されると、前記一対の作動歯車６８,６９が相互に逆方向に回転し、前記裏ユニット３６に配設されている左右のラック５８,６４との噛合作用下に、該可動体５３が斜め下方に移動する(図２６,図２８参照)。第１駆動モータ６７は、前記裏ユニット３６に配設されている第１検出片９２を検出している可動体５３の前記第１検出手段９３が、該第１検出片９２を検出しなくなった時点から所定ステップ数だけ回転し、前記可動体５３が作動位置に到来すると、該第１駆動モータ６７が停止制御され、該可動体５３は作動位置に保持される。また、前記第１駆動モータ６７が逆方向に回転するよう駆動されると、前記一対の作動歯車６８,６９が可動体５３の下降時とは反対の方向に相互に逆方向に回転し、前記左右のラック５８,６４との噛合作用下に、該可動体５３が斜め上方に移動する。そして、前記第１検出手段９３が第１検出片９２を検出した時点(原位置)から第１駆動モータ６７が所定ステップ数だけ回転し、前記可動体５３が待機位置に到来すると、該第１駆動モータ６７が停止制御され、該可動体５３は待機位置に保持される。
【００９５】
前記可動演出装置４９は、裏ユニット３６に対して移動自在に配設した可動体５３に第１駆動モータ６７を配設しているから、該裏ユニット３６に駆動モータを配設する設置スペースを確保する必要はなく、裏ユニット３６のスペースを有効利用することができる。しかも、実施例の第１駆動モータ６７は、可動体５３の前面に後向き姿勢で配設され、該可動体５３の裏側には歯車６８,６９,７０が配設されているだけであるので、可動体５３を裏ユニット３６の上対向面部４７ａに近接して配置することができる。また、第１駆動モータ６７の配設位置を変更する等の設計変更が必要となった場合においては、低コストで対応し得る。すなわち、裏ユニット３６に駆動モータの設置部を設ける構成では、該裏ユニット３６を成型する大きな金型の設計変更を必要として極めてコストが高くなるのに対し、実施例のように裏ユニット３６に対して小型の可動体５３に駆動モータ６７を配設する構成であれば、該可動体５３の設計変更のみで対応することができるから、設計変更時におけるコストを低廉に抑えることができる。
【００９６】
前記可動体５３は、第１駆動モータ６７により回転される作動歯車６８,６９と裏ユニット３６に配設されるラック５８,６４との噛合作用によって移動されるから、可動体５３の確実な動作を達成し得る。また実施例では、左右方向に離間する一対のラック５８,６４に対応する一対の作動歯車６８,６９を噛合して作動するよう構成してあるから、可動体５３を安定して移動させることができる。
【００９７】
(第１装飾可動装置について)
前記可動体５３に配設されている第１装飾可動装置５０については、可動体５３の前側に配設されている前記第２駆動モータ７３を駆動することで、可動体５３の裏面に配設されている伝達機構７２を介して該可動体５３の前側に配設されている複数の第１装飾可動部材７１が回転する。第１装飾可動装置５０は、可動体５３に配設されている第２駆動モータ７３の駆動により、該可動体５３の動きに関係なく第１装飾可動部材７１を回転(可動)して演出することができる。言い替えるなら、可動体５３と裏ユニット３６との間に連繋機構等を設けることなく、可動体５３の動きに関連付けて第１装飾可動部材７１を可動することが可能であり、簡単な構成で演出効果を高めることができる。また、第１装飾可動部材７１を回転(可動)させる伝達機構７２は可動体５３の裏側に配設されているから、可動体５３が裏ユニット３６に対して移動した際に該伝達機構７２が前側から視認される状態となることはない。これにより、該伝達機構７２を隠す専用の部材を設けたり、伝達機構７２が露出しないように可動体５３の移動範囲を小さくする等の対策を採る必要はなく、コストを低廉に抑えることができると共に可動体５３による演出効果を低減させることもない。
【００９８】
また、前記可動体５３の裏側に配設される前記伝達機構７２はカバー部材７８で覆われているから、可動体５３の移動時に裏ユニット３６に該伝達機構７２が接触して可動体５３の移動が阻害されるのは防止される。更に、前記カバー部材７８の裏面、すなわち裏ユニット３６の上対向面部４７ａと対向する面には、左右方向に離間して複数のリブ７８ｂを可動体５３の移動方向に沿って形成してあるから、該カバー部材７８と上対向面部４７ａとが接触する際の接触面積を小さくすることができ、可動体５３のより円滑な移動を達成させ得る。
【００９９】
ここで、実施例の可動体５３は、待機位置から作動位置に移動した際には前記裏ユニット３６における開口部３６ａの内側に下側の大部分が臨むように設定されて、該可動体５３の大きな動作による興趣のある演出が行なわれる。この場合に、前記カバー部材７８のリブ７８ｂの全体が開口部３６ａの内側に臨み、可動体５３が作動位置から待機位置に戻る際に、該リブ７８ｂの端部が開口部３６ａを画成する上対向面部４７ａの端縁に引っ掛かるおそれがある。しかるに、実施例のリブ７８ｂにおける延在方向の端部は、該端部に向かうにつれてカバー部材７８の裏面に近接する傾斜が付されているから、可動体５３が作動位置から待機位置に向けて移動する際に該リブ７８ｂの端部が上対向面部４７ａの端縁に引っ掛かって可動体５３の移動を阻害するのを防止し得る。なお、可動体５３の裏面全体をカバー部材７８で覆うことで、リブ７８ｂの端部が開口部３６ａの内側に臨まないようにすることは可能であるが、この場合は大きなカバー部材７８が必要になるばかりか、前記可動体５３を移動するための前記ラック５８,６４との干渉を防止する複雑な形状としなければならず、コストが嵩む問題を招く。
【０１００】
また、前記カバー部材７８は、可動体５３の円滑な移動を図るだけでなく、前記伝達機構７２を保護している。しかも、カバー部材７８の前面に突設した複数の突起７８ａが、前記第１ＬＥＤ基板８０の裏面に当接しているから、該カバー部材７８が橈んで伝達機構７２と接触するのを確実に防ぐことができ、伝達機構７２の動作が妨げられることはない。
【０１０１】
(配線保持体による配線の抜け防止について)
前記可動体５３に配設されている第１ＬＥＤ基板８０の右上端にソケット８０ｂおよびプラグ６３ａを介して接続されている可動体用配線６３は、前記右ガイド部材５５の案内路６２に左右方向に挿通された後に、前記上部中継基板８３にソケット８３ａおよびプラグ６３ｂを介して接続されている。また、該可動体用配線６３における右ガイド部材５５と上部中継基板８３との間に臨む部位が、前記配線保持体８５に結束具８６を介して結束されている。前記待機位置に可動体５３が臨む状態において、前記配線保持体８５は、可動体用配線６３における配線保持体８５と第１ＬＥＤ基板８０との間に臨む部位に形成されている屈曲部６３ｃの弾力によって引張られて、図２５において可動体用配線６３の結束部を可動体５３から離間する方向に回動付勢されている。
【０１０２】
この状態から前記可動体５３が作動位置に向けて左斜め下方に移動すると、前記第１ＬＥＤ基板８０に接続されている可動体用配線６３も左斜め下方に引張られる。前記配線保持体８５は、可動体用配線６３が引張られるのに伴って、該可動体用配線６３の結束部が可動体側に向けて回動する(図２６参照)。また、可動体５３が作動位置から待機位置に向けて右斜め上方に移動すると、前記第１ＬＥＤ基板８０に接続されている可動体用配線６３も右斜め上方に押され、この押される力によって前記配線保持体８５は、可動体用配線６３の結束部が可動体５３から離間する側に向けて回動する。すなわち、可動体５３の移動に伴って移動する可動体用配線６３は、前記配線保持体８５に一部が保持された状態で移動するから、該可動体用配線６３が自由に移動することで意図しない方向に折曲して、前記可動体５３に絡まるのを防止することができる。従って、可動体５３の移動が可動体用配線６３によって阻害されたり、可動体用配線６３が第１ＬＥＤ基板８０から外れてしまうことも防ぐことができる。
【０１０３】
また、前記配線保持体８５には、可動体用配線６３に形成した屈曲部６３ｃの弾力によって該可動体用配線６３の結束部を可動体５３から離間する方向に付勢する力が加わっているから、可動体５３が作動位置から待機位置に移動する際には、可動体用配線６３が押される力だけでなく、屈曲部６３ｃの弾力によっても配線保持体８５を確実に回動させ得る。従って、可動体用配線６３における配線保持体８５と第１ＬＥＤ基板８０との間に臨む部位を、第１ＬＥＤ基板８０から離間する方向に引張って張った状態とすることができ、可動体用配線６３が可動体５３に絡まるのを確実に防止し得る。
【０１０４】
ここで、可動体５３の移動を許容するには、可動体用配線６３を長めに設定することで対応可能であるが、この場合には可動体５３に近接する側に大きな配線収容スペースを確保する必要を生ずると共に、絡み等を招く可能性が高くなる。また、逆に可動体用配線６３を短めに設定すれば、配線収容スペースを小さくできると共に絡み等を招く可能性を低くすることはできるが、可動体５３の移動時に可動体用配線６３に大きなテンションが加わる可能性が高くなり、プラグ６３ａが抜け易くなる。これに対し、実施例のように配線保持体８５で可動体用配線６３を保持し、かつ該可動体用配線６３を屈曲部６３ｃによって常には配線保持体８５と第１ＬＥＤ基板８０との間に臨む可動体用配線６３を張った状態に保持することで、絡み等を招くのを抑制しつつ可動体５３の移動を許容することができ、かつ可動体５３に近接する部位に大きな配線収容スペースを確保する必要もなくなる。また、配線保持体８５と第１ＬＥＤ基板８０との間に臨む可動体用配線６３を張った状態に保持したとしても、可動体５３の移動に伴って可動体用配線６３が移動するのも許容されているから、プラグ６３ａが抜けるのも防止し得る。
【０１０５】
しかも、実施例では弾性を有する可動体用配線６３の屈曲部６３ｃを利用して該配線６３を第１ＬＥＤ基板８０との間で張った状態に保持できるから、別途、バネ等の専用の付勢手段を設ける必要はなく、部品点数を低減してコストを低廉に抑えることができる。
【０１０６】
更に、前記可動体用配線６３における可動体５３と配線保持体８５との間に臨む部位は、前記右ガイド部材５５で案内されるようになっているから、該可動体用配線６３が前後方向に折曲するのは右ガイド部材５５で規制され、可動体５３に近接する側での可動体用配線６３の折曲をより抑制し得る。しかも、右ガイド部材５５は可動体５３のガイド部材としても機能するものであるから、可動体用配線６３を案内するためだけの部品を別途設けるのに比べて、部品点数およびコストを低減し得る。
【０１０７】
(収容部材による配線の保護について)
前記可動体５３に配設されている各駆動モータ６７,７３や各検出手段９３,９５に接続する配線８１は、前記収容部材１３３の配線収容部１３４に収容されている(図３６参照)。この場合に、配線収容部１３４の内部寸法は、収容される配線８１の外形寸法に対して充分に大きく、該配線８１は配線収容部１３４内にスペース的に余裕をもって収容されており、前記可動体５３の移動に伴う配線８１の移動(変位)を支障なく許容し得る。しかも、収容部材１３３は後部開口１３３ｃが蓋部材１３５で閉成されているから、配線収容部１３４内で配線８１が移動しても該配線８１が外部(前後方向)に延出することはなく、配線８１の他の部品に対する絡みや引っ掛かりを防止し得る。すなわち、通常の配線フック等の係止手段であれば、配線の移動を許容するためにスペース的に余裕をもって係止すると、該配線が移動した際に、配線を係止手段に係止させるための挿入部を介して係止手段から外れてしまうおそれがあるが、実施例のように可動体５３側に接続されて移動する配線８１を収容部材１３３の配線収容部１３４に収容することで、前記の問題を招くのを防止し得るものである。
【０１０８】
(磁石による保持について)
前記第１駆動モータ６７の駆動により前記可動体５３が作動位置から待機位置に移動した際に、該可動体５３に設けた前記永久磁石８７が、前記裏ユニット３６に設けた磁着部材８９に当接して磁着され、当該可動体５３が待機位置に保持される(図２２,図２５参照)。すなわち、永久磁石８７および磁着部材８９によって可動体５３を待機位置に保持し得るから、可動体５３を待機位置に保持するために第１駆動モータ６７を駆動制御する必要はなく、該第１駆動モータ６７を停止した状態で可動体５３を確実に待機位置に保持し得る。従って、第１駆動モータ６７に掛かる駆動負荷を低減し得ると共に、制御系の負荷も低減し得る。
【０１０９】
ここで、実施例の可動演出装置４９では、前述したように可動体５３を待機位置と作動位置との間を移動させるだけでなく、待機位置より下方において所定幅で上下動して振動しているように見せる振動演出を行ない得るようになっている。この振動演出に際しては、待機位置の可動体５３を下降するよう第１駆動モータ６７が駆動され、前記第１検出手段９３が第１検出片９２を検出しなくなった時点から更に予め設定されたステップ数(Ｎ１ステップ)だけ回転した位置を基点として、この基点から予め設定されたステップ数(Ｎ２ステップ)で下降した後に、再び基点まで上昇する動作を繰り返すように第１駆動モータ６７が駆動制御される。前述したように前記基点は、前記永久磁石８７の磁力が磁着部材８９に作用しない位置に設定されているから、振動演出に際して可動体５３は永久磁石８７の磁力が磁着部材８９に作用しない位置で上下動し、該磁力によって第１駆動モータ６７に加わる負荷が増加することはなく、可動体５３の円滑な上下動が達成される。
【０１１０】
(導電部材によるアースについて)
前記可動体５３が作動位置から待機位置に移動した際には、該可動体５３に配設されている前記導電部材９０が、前記第２装飾可動装置５１の取付盤１２１に配設されているアース部材９１の接触片９１ｂに接触する(図２５参照)。取付盤１２１にはメッキが施されると共に電源装置２８にアース線を介して接続されているから、アース部材９１に導電部材９０が接触することで、可動体５３に帯電している静電気を電源装置２８に逃すことができる。また、アース部材９１の接触片９１ｂは、該接触片９１ｂに負荷が加わっていない状態では、図２６に示すように可動体５３の待機位置における導電部材９０の上端位置より下方に臨んでいるから、可動体５３が待機位置に到来したときには導電部材９０によって接触片９１ｂが弾性変形し、該接触片９１ｂの復帰弾力によって導電部材９０との接触が維持される。更に、前記可動体５３は、前記永久磁石８７と磁着部材８９との磁着により待機位置に保持されるようになっているから、可動体５３が待機位置に臨む状態ではアース部材９１によって確実な静電気の除去が達成される。
【０１１１】
前記可動体５３が待機位置から作動位置に向けて移動すると、前記アース部材９１から導電部材９０が離間し、該可動体５３が再び待機位置まで移動することで、アース部材９１に導電部材９０が接触してアースされる。すなわち、アース部材９１と導電部材９０とは可動体５３が待機位置と作動位置との間を移動している間の全期間に亘って接触するものではないから、該可動体５３の移動によってアース部材９１や導電部材９０が摩耗し、接触不良を生じて確実なアースがなされなくなる事態が発生するのを防止し得る。すなわち、長期に亘って確実なアースを達成し得る。
【０１１２】
特に、前記可動体５３に第１装飾可動装置５０を配設している可動演出装置４９では、該第１装飾可動装置５０における複数の第１装飾可動部材７１の動作によって多くの静電気が発生する可能性があるものにおいて、長期に亘って確実なアースを達成し得ることは極めて有効である。
【０１１３】
(変更例)
本願は前述した実施例の構成に限定されるものではなく、その他の構成を適宜に採用することができる。
１．実施例では、可動演出装置の可動体を斜めに上下動させる構成としたが、該可動体を鉛直に上下動させたり、左右方向に移動させる等、各方向へ移動させる構成を採用し得る。また、可動演出装置の配設位置についても、裏ユニットにおける開口部の左右の対向面部や下の対向面部等、何れの位置であってもよい。
２．実施例では、可動体を移動させる機構としてラックと歯車とを用いたが、リンク機構、その他の機構を採用することができ、可動体に配設した駆動手段により作動させ得る機構であればよい。
３．実施例では、可動体の駆動手段としてモータを用いたが、ソレノイド等のリニアアクチュエータを採用することができる。
４．実施例では、配線を保持する配線保持体を回動可能に配設したが、可動体の移動に伴い配線に作用する負荷に応じて直線的あるいは所定の経路に沿って移動可能に配設されていてもよく、配線を保持した状態で一定の経路を可動し得るものであればよい。
５．実施例では、配線保持体の付勢手段として、弾性を有する配線に形成した屈曲部を利用したが、別途バネやゴム等の弾性部材を用いて配線保持体を電気部品から配線を離間させる方向に付勢する構成を採用し得る。
６．実施例では、配線保持体と電気部品との間の配線を支持する案内部材として、可動体のガイド部材を用いたが、ガイド部材とは別の部材により配線を支持する構成であってもよい。
７．実施例では、裏ユニットにおける上壁部の上外方において配線を収容する配線収容部を、裏ユニットとは別部材の収容部材を用いて形成したが、裏ユニット自体に、後方に開口する配線収容部を凹設し、該配線収容部に連通するように前後に貫通する挿通口を裏ユニットに形成する構成を採用し得る。このように、裏ユニットに配線収容部を一体に形成する構成においても、配線を上下および前後に延出しない状態で上壁部に沿って引き回すことができるから、裏ユニットの裏面に対する図柄表示装置の取付け時、および裏ユニットの前面に対する装飾部材の取付け時の何れの場合においても、配線の挟み込みや引っ掛けを防止することができる。
８．実施例では、上対向面部に配設される取付板にアース部材を配設するよう構成したが、上対向面部に直にアース部材を配設する構成を採用することができる。
９．実施例では、第２装飾可動装置の取付盤を上対向面部の前面に配設することで長孔を覆うよう構成したが、長孔を覆うための装飾部材は、可動する部材を備えていないものであってもよい。例えば、電気部品としての発光装置が配設されて、該発光装置に接続する配線が長孔を介して裏ユニットの裏側に引き出される構成であってもよい。
１０．実施例では、図柄表示装置の左側面に設けた係止突部を、裏ユニットの左側壁部に設けた差込み口に挿入して該図柄表示装置を設置領域に位置決めすると共にロック部材で固定するようにしたが、図柄表示装置を裏ユニットに位置めする手段および固定する手段はこれに限定されるものでなく、例えば設置領域を区画する４つの壁部に後方から図柄表示装置を嵌め込むようにして位置決めした状態で、該図柄表示装置の４隅をロック部材等によって裏ユニットの裏面に押付けるようにして固定する構成等、各種の構成を採用することができる。
１１．実施例では、貫通口を形成した透明板の裏側に裏ユニットを取付けて構成された遊技盤を用いたが、透明板は貫通口が設けられていないものであってもよい。また遊技盤は、木製の板部材のみを用いたものを使用することができ、該板部材(設置部)に可動体を直接、あるいは枠状の装飾部材を介して移動自在に配設する構成を採用し得る。
１２．実施例では、遊技機としてパチンコ機を例示して説明したが、これに限られるものではなく、アレンジボール機やピンボール機等の従来公知の各種遊技機を採用し得る。また、図柄表示装置としても液晶パネルを用いたものに限らず、ドラム式やベルト式、その他の形式の図柄表示装置も採用可能である。
【符号の説明】
【０１１４】
４７ａ 上対向面部(設置部)
５３ 可動体
６７ 第１駆動モータ(駆動手段)
７１ 第１装飾可動部材(装飾可動部材)
７２ 伝達機構
７３ 第２駆動モータ(装飾用駆動手段)
７８ カバー部材
７８ａ 突起
７８ｂ リブ
【図１】
2010227421.tif 000003
【図２】
2010227421.tif 000004
【図３】
2010227421.tif 000005
【図４】
2010227421.tif 000006
【図５】
2010227421.tif 000007
【図６】
2010227421.tif 000008
【図７】
2010227421.tif 000009
【図８】
2010227421.tif 000010
【図９】
2010227421.tif 000011
【図１０】
2010227421.tif 000012
【図１１】
2010227421.tif 000013
【図１２】
2010227421.tif 000014
【図１３】
2010227421.tif 000015
【図１４】
2010227421.tif 000016
【図１５】
2010227421.tif 000017
【図１６】
2010227421.tif 000018
【図１７】
2010227421.tif 000019
【図１８】
2010227421.tif 000020
【図１９】
2010227421.tif 000021
【図２０】
2010227421.tif 000022
【図２１】
2010227421.tif 000023
【図２２】
2010227421.tif 000024
【図２３】
2010227421.tif 000025
【図２４】
2010227421.tif 000026
【図２５】
2010227421.tif 000027
【図２６】
2010227421.tif 000028
【図２７】
2010227421.tif 000029
【図２８】
2010227421.tif 000030
【図２９】
2010227421.tif 000031
【図３０】
2010227421.tif 000032
【図３１】
2010227421.tif 000033
【図３２】
2010227421.tif 000034
【図３３】
2010227421.tif 000035
【図３４】
2010227421.tif 000036
【図３５】
2010227421.tif 000037
【図３６】
2010227421.tif 000038
【図３７】
2010227421.tif 000039
【図３８】
2010227421.tif 000040
【図３９】
2010227421.tif 000041
【図４０】
2010227421.tif 000042
【図４１】
2010227421.tif 000043